(57)【特許請求の範囲】
【請求項１】
複数の無線端末とともに用いるための複数のアンテナ素子を含む基地局を動作させる方法であって、
第１及び第２の無線端末を、前記第１及び第２の無線端末にそれぞれ対応する第１及び第２のチャネル推定ベクトルに基づいて、前記複数の無線端末から選択することであって、前記第１及び第２のチャネル推定ベクトルの各々は、前記複数のアンテナ素子のうちの異なるアンテナ素子に対応するチャネル情報を含むことと、
前記選択された第１及び第２の無線端末に割り当て情報を送信することであって、前記選択された第１及び第２の無線端末は第１及び第２のセグメントがそれぞれ割り当てられ、前記第１及び第２のセグメントは、少なくとも実質的に重なり合う通信資源を含むことと、を備え、
前記第１及び第２の無線端末を選択することは、
実質的に直交であるチャネル推定ベクトルを有する無線端末を選択することを含み、
前記第１及び第２の無線端末を選択することは、
ｉ）第１の端末と基地局との間及び第２の無線端末と基地局との間の通信チャネル間における推定された空間相関関係、及び
ｉｉ）第１及び第２の無線端末からの信号にそれぞれ対応する信号対雑音比間の推定された差の両方の関数として行われる、方法。
【請求項２】
前記第１及び第２のセグメントは、時間−周波数資源単位の組である請求項１に記載の方法。
【請求項３】
前記第１及び第２のセグメントは、アップリンクトラフィックチャネルセグメントであり、時間周波数資源単位は、ＯＦＤＭトーン−シンボルである請求項２に記載の方法。
【請求項４】
前記第１及び第２のセグメントは、ダウンリンクトラフィックチャネルセグメントであり、時間周波数資源単位は、ＯＦＤＭトーン−シンボルである請求項２に記載の方法。
【請求項５】
前記第１及び第２のセグメントのうちの１方に含まれる前記時間−周波数資源単位の少なくとも５０％は、前記第１及び第２のセグメントのうちの他方に含まれる請求項２に記載の方法。
【請求項６】
前記第１及び第２のセグメントのうちの１方に含まれる前記時間−周波数資源単位の少なくとも１００％は、前記第１及び第２のセグメントのうちの他方に含まれる請求項２に記載の方法。
【請求項７】
前記第１及び第２のセグメントは、同じ数の時間−周波数資源単位を含む請求項６に記載の方法。
【請求項８】
前記選択を行う前に、前記第１及び第２の無線端末からそれぞれ受信された信号から前記第１及び第２のチャネル推定を生成することをさらに備える請求項１に記載の方法。
【請求項９】
前記チャネル推定は、前記第１及び第２の無線端末から受信された信号を測定することによって生成される請求項８に記載の方法。
【請求項１０】
前記チャネル推定は、前記第１及び第２の無線端末によって送信されたチャネル情報を通信する受信された情報から生成される請求項８に記載の方法。    
【請求項１１】
前記実質的に直交であるチャネル推定ベクトルは、０．２よりも小さい大きさを有する相互相関係数を有する請求項１に記載の方法。
【請求項１２】
前記割り当てられた第１及び第２のセグメントにおいて前記第１及び第２の無線端末から信号を受信することと、
前記第１及び第２の無線端末のうちの少なくとも１つに対応するチャネル推定ベクトルを用いて前記第１及び第２の無線端末のうちの前記少なくとも１つに対応する前記受信された信号を復号すること、とをさらに備える請求項９に記載の方法。
【請求項１３】
前記第１及び第２の無線端末からの信号が前記基地局においてほぼ等しい平均時間−周波数単位当たり電力で受信されるように出力電力を制御するために前記第１及び第２の無線端末にシグナリングすることをさらに備える請求項１２に記載の方法。
【請求項１４】
前記第１及び第２の無線端末からの前記信号は、互いに３ｄＢ以内の受信電力レベルで受信される請求項１３に記載の方法。
【請求項１５】
前記第１及び第２の無線端末からの信号がほぼ等しい平均信号対雑音比で受信されるように出力電力を制御するために前記第１及び第２の無線端末にシグナリングすることをさらに備える請求項１２に記載の方法。
【請求項１６】
前記ほぼ等しい平均信号対雑音比は、互いに３ｄＢ以内である請求項１５に記載の方法。
【請求項１７】
前記第１及び第２の無線端末からの信号が基地局においてほぼ等しい平均信号対雑音比で受信されるように出力データレートを制御するために前記第１及び第２の無線端末にシグナリングすることをさらに備える請求項１２に記載の方法。
【請求項１８】
前記ほぼ等しい平均信号対雑音比は、互いに３ｄＢ以内である請求項１７に記載の方法。
【請求項１９】
第３の無線端末に第３のセグメントを割り当てることであって、前記第３のセグメントは、周波数の点で前記第１及び第２のセグメントと完全に又は実質的に重なり合わず、時間の点で少なくとも部分的に重なり合うことと、
前記第３の無線端末から受信された信号の電力レベルが前記第１及び第２の無線端末から受信された信号の電力レベルと実質的に異なるように前記第３の無線端末の送信電力レベルを制御するための信号を前記第３の無線端末に送信すること、とをさらに備える請求項１に記載の方法。
【請求項２０】
前記第３の無線端末から受信された信号の電力レベルと、前記第１及び第２の無線端末から受信された前記信号の電力レベルとの差は、少なくとも５ｄＢである請求項１９に記載の方法。
【請求項２１】
前記第１及び第２の無線端末にそれぞれ対応する送信されるべき第１及び第２の信号に対して第１及び第２の変換をそれぞれ行うことであって、前記第１及び第２の変換の各々は、前記第１及び第２のチャネル推定のうちの少なくとも１つから生成されることと、
前記割り当てられた第１及び第２のセグメントにおいて前記第１及び第２の無線端末に符号化された第１及び第２の信号を送信すること、とをさらに備える請求項１０に記載の方法。
【請求項２２】
前記符号化された信号がほぼ等しい平均時間−周波数単位当たり電力で送信されるように前記第１及び第２の符号化された信号の送信電力を制御することをさらに備える請求項２１に記載の方法。
【請求項２３】
前記第１及び第２の無線端末への前記信号は、互いに３ｄＢ内の送信電力レベルで送信される請求項２２に記載の方法。
【請求項２４】
第３の無線端末に第３のセグメントを割り当てることであって、前記第３のセグメントは、周波数の点で前記第１及び第２のセグメントと完全に又は実質的に重なり合わず、時間の点で少なくとも部分的に重なり合うことと、
前記第１及び第２の無線端末に送信された信号の電力レベルと実質的に異なる送信電力レベルを用いて前記第３の無線端末に信号を送信すること、とをさらに備える請求項１に記載の方法。
【請求項２５】
前記送信された電力レベル差は、少なくとも５ｄＢである請求項２４に記載の方法。
【請求項２６】
前記選択は、予め決められた制約を満たすために前記第１及び第２の無線端末を前記複数の無線端末から選択する請求項１に記載の方法。
【請求項２７】
前記制約は、推定された空間相関関係と信号対雑音比間の推定された差の異なる組み合わせによって満たすことが可能な関数出力限度である請求項２６に記載の方法。
【請求項２８】
複数の無線端末とともに用いるための基地局であって、
無線端末と通信するための複数のアンテナ素子と、
第１及び第２の無線端末を、前記第１及び第２の無線端末に対応する第１及び第２のチャネル推定ベクトルに基づいて、前記複数の無線端末から選択するための選択モジュールであって、前記第１及び第２のチャネル推定ベクトルの各々は、前記複数のアンテナ素子のうちの異なるアンテナ素子に対応するチャネル情報を含む選択モジュールと、
前記選択された第１及び第２の無線端末に割り当て情報を送信するための送信モジュールであって、前記選択された第１及び第２の無線端末は、第１及び第２のセグメントがそれぞれ割り当てられ、前記第１及び第２のセグメントは、少なくとも実質的に重なり合う通信資源を含む送信モジュールと、を備え、
前記選択モジュールは、前記第１及び第２の無線端末をチャネル推定ベクトル直交性情報の関数として選択し、前記第１及び第２の無線端末は、実質的に直交であるチャネル推定ベクトルを有し、さらに、前記選択モジュールは、前記第１及び第２の無線端末の選択を、
ｉ）第１の端末と基地局との間及び第２の無線端末と基地局との間の通信チャネル間における推定された空間相関関係、及び
ｉｉ）第１及び第２の無線端末からの信号にそれぞれ対応する信号対雑音比間の推定された差
の両方の関数として行う、基地局。
【請求項２９】
前記第１及び第２のセグメントは、時間−周波数資源単位の組である請求項２８に記載の基地局。
【請求項３０】
前記第１及び第２のセグメントは、アップリンクトラフィックチャネルセグメントであり、時間周波数資源単位は、ＯＦＤＭトーン−シンボルであり、
複数のセグメントのうちのいずれのセグメントが互いに実質的に重なり合うか示す格納された情報であって、前記複数のセグメントは前記第１及び第２のセグメントを含む格納された情報をさらに備える請求項２９に記載の基地局。
【請求項３１】
前記第１及び第２のセグメントは、ダウンリンクトラフィックチャネルセグメントであり、時間周波数資源単位は、ＯＦＤＭトーン−シンボルであり、
複数のセグメントのうちのいずれのセグメントが互いに実質的に重なり合うかを示す格納された情報であって、前記複数のセグメントは前記第１及び第２のセグメントを含む格納された情報をさらに備える請求項２９に記載の基地局。
【請求項３２】
前記第１及び第２のセグメントのうちの１方に含まれる前記時間−周波数資源単位の少なくとも５０％は、前記第１及び第２のセグメントのうちの他方に含まれる請求項２９に記載の基地局。
【請求項３３】
前記第１及び第２のセグメントのうちの１方に含まれる前記時間−周波数資源単位の少なくとも１００％は、前記第１及び第２のセグメントのうちの他方に含まれる請求項２９に記載の基地局。
【請求項３４】
前記第１及び第２のセグメントは、同じ数の時間−周波数資源単位を含む請求項３３に記載の基地局。
【請求項３５】
前記第１及び第２の無線端末からそれぞれ受信された信号から前記第１及び第２のチャネル推定を生成するためのチャネル推定生成モジュールをさらに備える請求項２８に記載の基地局。
【請求項３６】
前記チャネル推定生成モジュールは、前記第１及び第２の無線端末から受信された信号を測定するための測定モジュールを含む請求項３５に記載の基地局。
【請求項３７】
前記チャネル推定生成モジュールは、前記第１及び第２の無線端末によって送信されたチャネル情報を通信する情報を受信するためのチャネル情報復元モジュールを含む請求項３５に記載の基地局。
【請求項３８】
前記選択モジュールは、
一対のチャネル推定ベクトル間における直交度を決定するための相関モジュールを含む請求項２８に記載の基地局。
【請求項３９】
前記選択モジュールは、最低限の直交性に関する要求を満たすチャネル推定ベクトルの対を識別するための直交性に基づくスクリーニングモジュールをさらに含む請求項３８に記載の基地局。
【請求項４０】
前記実質的に直交であるチャネル推定ベクトルは、０．２よりも小さい大きさを有する相互相関係数を有する請求項２８に記載の基地局。
【請求項４１】
前記割り当てられた第１及び第２のセグメントにおいて前記第１及び第２の無線端末から信号を受信するための受信機と、
前記第１及び第２の無線端末のうちの少なくとも１つに対応するチャネル推定ベクトルを用いて前記第１及び第２の無線端末のうちの前記少なくとも１つに対応する前記受信された信号を復号するための復号器と、をさらに備える請求項３６に記載の基地局。
【請求項４２】
第１及び第２のセグメントに対応する、前記第１及び第２の無線端末からの信号が前記基地局においてほぼ等しい平均時間−周波数単位当たり電力で受信されるように出力電力を制御するために前記第１及び第２の無線端末にシグナリングするための無線端末電力制御モジュールをさらに備える請求項４１に記載の基地局。
【請求項４３】
前記第１及び第２の無線端末からの前記信号は、互いに３ｄＢ以内の受信電力レベルで受信される請求項４２に記載の基地局。
【請求項４４】
第１及び第２のセグメントにそれぞれ対応する、前記第１及び第２の無線端末からの信号がほぼ等しい平均信号対雑音比を有する状態で前記基地局において受信されるように出力電力を制御するために前記第１及び第２の無線端末にシグナリングするための無線端末電力制御モジュールをさらに備える請求項４１に記載の基地局。
【請求項４５】
前記ほぼ等しい平均信号対雑音比は、互いに３ｄＢ以内である請求項４４に記載の基地局。
【請求項４６】
前記第１及び第２の無線端末からの信号がほぼ等しい平均信号対雑音比を有する状態で前記基地局において受信されるように、第１及び第２のセグメントにそれぞれ対応する、出力データレートを制御するために前記第１及び第２の無線端末にシグナリングするための無線端末制御モジュールをさらに備える請求項４１に記載の基地局。
【請求項４７】
前記ほぼ等しい平均信号対雑音比は、互いに３ｄＢ以内である請求項４６に記載の基地局。
【請求項４８】
第３の無線端末に第３のセグメントを割り当てるための割り当て信号を生成するための割り当てシグナリングモジュールであって、前記第３のセグメントは、周波数の点で前記第１及び第２のセグメントと完全に又は実質的に重なり合わず、時間の点で少なくとも部分的に重なり合う割り当てシグナリングモジュールをさらに備え、
前記送信モジュールは、前記第３の無線端末から受信された信号の電力レベルが前記第１及び第２の無線端末から受信された信号の電力レベルと実質的に異なるように前記第３の無線端末の送信電力レベルを制御するための信号を前記第３の無線端末に送信する請求項２８に記載の基地局。
【請求項４９】
前記第３の無線端末から受信された信号の電力レベルと、前記第１及び第２の無線端末から受信された前記信号の電力レベルとの差は、少なくとも５ｄＢである請求項４８に記載の基地局。
【請求項５０】
前記第１及び第２の無線端末にそれぞれ対応する送信されるべき第１及び第２の信号に対して第１及び第２の変換をそれぞれ行うための変換モジュールであって、前記第１及び第２の変換の各々は、前記第１及び第２のチャネル推定のうちの少なくとも１つから生成される変換モジュールをさらに備え、
前記送信モジュールは、前記割り当てられた第１及び第２のセグメントにおいて前記第１及び第２の無線端末に符号化された第１及び第２の信号を送信する請求項３７に記載の基地局。
【請求項５１】
前記符号化された信号がほぼ等しい平均時間−周波数単位当たり電力で送信されるように前記第１及び第２の符号化された信号の送信電力を制御するための電力制御モジュールをさらに備える請求項５０に記載の基地局。
【請求項５２】
前記第１及び第２の無線端末への前記信号は、互いに３ｄＢ以内の送信電力レベルで送信される請求項５１に記載の基地局。
【請求項５３】
第３の無線端末に第３のセグメントを割り当てる割り当て信号を生成するための割り当てシグナリングモジュールであって、前記第３のセグメントは、周波数の点で前記第１及び第２のセグメントと完全に又は実質的に重なり合わず、時間の点で少なくとも部分的に重なり合う割り当てシグナリングモジュール、をさらに備え、
前記送信モジュールは、前記第１及び第２の無線端末に送信された信号の電力レベルと実質的に異なる送信電力レベルを用いて前記第３の無線端末に信号を送信する請求項２８に記載の基地局。
【請求項５４】
前記送信された電力レベル差は、少なくとも５ｄＢである請求項５３に記載の基地局。
【請求項５５】
複数の無線端末とともに用いるための基地局であって、
無線端末と通信するための複数の電磁波放射手段及び複数の電磁波受信手段のうちの少なくとも１つと、
第１及び第２の無線端末を、前記第１及び第２の無線端末に対応する第１及び第２のチャネル推定ベクトルに基づいて、前記複数の無線端末から選択するための選択手段であって、前記第１及び第２のチャネル推定ベクトルの各々は、複数のアンテナ素子のうちの異なるアンテナ素子に対応するチャネル情報を含む選択手段と、
前記選択された第１及び第２の無線端末に割り当て情報を送信するための送信手段であって、前記選択された第１及び第２の無線端末は、第１及び第２のセグメントがそれぞれ割り当てられ、前記第１及び第２のセグメントは、少なくとも実質的に重なり合う通信資源を含む送信手段と、を備え、
前記選択手段は、前記第１及び第２の無線端末をチャネル推定ベクトル直交性情報の関数として選択し、前記第１及び第２の無線端末は、実質的に直交であるチャネル推定ベクトルを有し、
さらに、前記選択手段は、前記第１及び第２の無線端末の選択を、
ｉ）第１の端末と基地局との間及び第２の無線端末と基地局との間の通信チャネル間における推定された空間相関関係、及び
ｉｉ）第１及び第２の無線端末からの信号にそれぞれ対応する信号対雑音比間の推定された差
の両方の関数として行う、基地局。
【請求項５６】
前記第１及び第２のセグメントは、時間−周波数資源単位の組である請求項５５に記載の基地局。
【請求項５７】
前記第１及び第２のセグメントのうちの１方に含まれる前記時間−周波数資源単位の少なくとも５０％は、前記第１及び第２のセグメントのうちの他方に含まれる請求項５６に記載の基地局。
【請求項５８】
前記第１及び第２のセグメントのうちの１方に含まれる前記時間−周波数資源単位の少なくとも１００％は、前記第１及び第２のセグメントのうちの他方に含まれる請求項５６に記載の基地局。
【請求項５９】
前記第１及び第２の無線端末からそれぞれ受信された信号から前記第１及び第２のチャネル推定ベクトルを生成するためのチャネル推定を生成するための手段をさらに備える請求項５５に記載の基地局。
【請求項６０】
チャネル推定を生成するための前記手段は、前記第１及び第２の無線端末から受信された信号を測定するための手段を含む請求項５９に記載の基地局。
【請求項６１】
チャネル推定を生成するための前記手段は、前記第１及び第２の無線端末によって送信されたチャネル情報を通信する情報を受信するための情報を復元するための手段を含む請求項６０に記載の基地局。
【請求項６２】
前記選択手段は、
一対のチャネル推定ベクトル間における直交度を決定するための手段を含む請求項５５に記載の基地局。
【請求項６３】
方法を実装するために通信デバイスを制御するための機械によって実行可能な命令を具現化したコンピュータによって読み取り可能な媒体であって、前記方法は、
第１及び第２の無線端末を、前記第１及び第２の無線端末にそれぞれ対応する第１及び第２のチャネル推定ベクトルに基づいて、複数の無線端末から選択することであって、前記第１及び第２のチャネル推定ベクトルの各々は、複数のアンテナ素子のうちの異なるアンテナ素子に対応するチャネル情報を含むことと、
前記選択された第１及び第２の無線端末に割り当て情報を送信することであって、前記選択された第１及び第２の無線端末は第１及び第２のセグメントがそれぞれ割り当てられ、前記第１及び第２のセグメントは、少なくとも実質的に重なり合う通信資源を含むことと、を備え、
前記第１及び第２の無線端末を選択することは、
実質的に直交であるチャネル推定ベクトルを有する無線端末を選択することを含み、
前記第１及び第２の無線端末を選択することは、
ｉ）第１の端末と基地局との間及び第２の無線端末と基地局との間の通信チャネル間における推定された空間相関関係、及び
ｉｉ）第１及び第２の無線端末からの信号にそれぞれ対応する信号対雑音比間の推定された差
の両方の関数として行われる、コンピュータによって読み取り可能な媒体。
【請求項６４】
前記第１及び第２のセグメントは、時間−周波数資源単位の組である請求項６３に記載のコンピュータによって読み取り可能な媒体。
【請求項６５】
前記第１及び第２のセグメントのうちの１方に含まれる前記時間−周波数資源単位の少なくとも５０％は、前記第１及び第２のセグメントのうちの他方に含まれる請求項６４に記載のコンピュータによって読み取り可能な媒体。
【請求項６６】
前記第１及び第２のセグメントのうちの１方に含まれる前記時間−周波数資源単位の少なくとも１００％は、前記第１及び第２のセグメントのうちの他方に含まれる請求項６４に記載のコンピュータによって読み取り可能な媒体。
【請求項６７】
前記第１及び第２のセグメントは、同じ数の時間−周波数資源単位を含む請求項６６に記載のコンピュータによって読み取り可能な媒体。
【請求項６８】
前記選択を行う前に、前記第１及び第２の無線端末からそれぞれ受信された信号から前記第１及び第２のチャネル推定を生成するための機械によって実行可能な命令をさらに具現化した請求項６３に記載のコンピュータによって読み取り可能な媒体。
【請求項６９】
装置であって、
第１及び第２の無線端末を、前記第１及び第２の無線端末に対応する第１及び第２のチャネル推定ベクトルに基づいて、複数の無線端末から選択し、及び
前記選択された第１及び第２の無線端末に割り当て情報を送信するように構成されたプロセッサであって、
前記第１及び第２のチャネル推定ベクトルの各々は、複数のアンテナ素子のうちの異なるアンテナ素子に対応するチャネル情報を含み、前記選択された第１及び第２の無線端末は、第１及び第２のセグメントがそれぞれ割り当てられ、前記第１及び第２のセグメントは、少なくとも実質的に重なり合う通信資源を含むプロセッサ、を含み、
前記プロセッサはさらに、前記第１及び第２の無線端末をチャネル推定ベクトル直交性情報の関数として選択し、前記第１及び第２の無線端末は、実質的に直交であるチャネル推定ベクトルを有し、
前記第１及び第２の無線端末を選択することは、
ｉ）第１の端末と基地局との間及び第２の無線端末と基地局との間の通信チャネル間における推定された空間相関関係、及び
ｉｉ）第１及び第２の無線端末からの信号にそれぞれ対応する信号対雑音比間の推定された差
の両方の関数として行われる、ように構成される、装置。
【請求項７０】
前記第１及び第２のセグメントは、時間−周波数資源単位の組である請求項６９に記載の装置。
【請求項７１】
前記第１及び第２のセグメントのうちの１方に含まれる前記時間−周波数資源単位の少なくとも５０％は、前記第１及び第２のセグメントのうちの他方に含まれる請求項７０に記載の装置。
【請求項７２】
前記第１及び第２のセグメントのうちの１方に含まれる前記時間−周波数資源単位の少なくとも１００％は、前記第１及び第２のセグメントのうちの他方に含まれる請求項７０に記載の装置。
【請求項７３】
前記第１及び第２のセグメントは、同じ数の時間−周波数資源単位を含む請求項７２に記載の装置。
【請求項７４】
前記プロセッサは、前記選択を行う前に、前記第１及び第２の無線端末からそれぞれ受信された信号から前記第１及び第２のチャネル推定ベクトルを生成するようにさらに構成される請求項６９に記載の装置。
【発明の詳細な説明】
【技術分野】
【０００１】
様々な実施形態は、無線通信方法及び装置に関するものである。様々な実施形態は、より具体的には、複数のアンテナ素子を有する基地局を含む無線通信システムにおけるエアリンク資源の利用を改良するための方法及び装置に関するものである。
【背景技術】
【０００２】
複数のアンテナを有する無線通信システム、例えば複数のアンテナを有するＯＦＤＭに基づくセルラーシステム、においては、複数のアンテナによって導入される空間次元を完全に利用するために複数層のデータを同じ周波数−時間資源において送信するのが望ましい。異なる層のデータは、必ずしも互いに直交ではなく、従ってＯＦＤＭに基づくシステムにおける異なるユーザ間での直交性を弱化させる。一例として、空間分割多元接続（ＳＤＭＡ）が用いられるときのアップリンクチャネルについて検討する。このシナリオにおいては、基地局は、同じ時間−周波数資源を共有するための複数のユーザを割り当てる。しかしながら、ほとんどのシナリオにおいては、これらのユーザからの空間シグナチャ間にはゼロでない相関関係が存在する。その結果、空間処理後において、１つのユーザは、その他のユーザからのエネルギーの一部を干渉とみなすことになる。  
２つの無線端末ユーザが同じアップリンク時間−周波数資源を共有時にはＳＮＲ範囲問題が存在する。この問題は、チャネル推定誤りの直接的な結果であり、すなわち、第１のユーザのチャネル推定誤りは、
【数１】
0005389808.tif 000002
【０００３】
の形で第２のユーザの干渉及び雑音項に寄与し、ここで、Ｐ１は、ユーザ１の送信電力であり、
【数２】
0005389808.tif 000003
【０００４】
は、ユーザ１の推定誤りである。従って、これらの２つのユーザのＳＮＲ範囲間には一定の相関関係が存在し、従って、これらの２つのユーザ間におけるＳＮＲ差は、該手法が条件を満たす形で機能するために過度に有意であるべきでない。この理由は、第１のユーザが第２のユーザと比較してはるかに大きい目標ＳＮＲにおいて送信した場合には、第１のユーザの受信された電力が第２のユーザの受信された電力よりも有意な程度だけ高く、その結果、推定誤りによって生じた干渉は、第１のユーザの受信された電力に比例し、第２のユーザの符号語の復号を不可能又はほぼ不可能にすることになる。従って、同じアップリンク周波数−時間資源を共有する干渉中のユーザにとっては、同様のＳＮＲで動作するのが重要である。同じアップリンク時間−周波数資源の共有は、セグメント間での部分的重なり合いであることが可能であり、時々部分的重なり合いである。セグメントは、一組の時間−周波数資源である。２つのセグメントは、これらの２つのセグメントが時間−周波数資源の少なくとも一部を共有時に重なり合う。共通する時間−周波数資源は、重なり合う部分と時々呼ばれる。同じ時間−周波数資源を共有するユーザが同様のＳＮＲで動作することに関する判定基準は、ＳＮＲ範囲判定基準と時々呼ばれる。
【０００５】
基地局が複数の無線端末と通信し及び無線端末と通信するために複数のアンテナを用いる無線通信システムにおける１つの既知の手法は、図１に示されるようなエアリンク資源の再使用を含む。この例においては、セグメントの各々は、同じサイズであり、基本になる時間周波数構造セグメントと重なり合わされる追加セグメントは、有意な数の基本セグメント、例えば４つ又は５つのセグメント、の間で同じサイズの部分ずつ意図的に分散される。異なる無線端末に割り当てられる異なるセグメントは、異なるチャネルベクトルを有することになる。異なる無線端末に割り当てられる異なるセグメントは、典型的には異なる動的範囲を有することになり、例えば、異なるセグメントが非常に異なる目標電力レベル及び／又は非常に異なる目標ＳＮＲを有することが可能である。
【０００６】
図１００は、周波数を縦軸１０２、時間を横軸１０４に示すグラフである。図１００に対応する凡例１０６は、（ｉ）セグメント１は、ブロック１０８によって示されるように、左からの右下りの対角線による陰影によって識別され、（ｉｉ）セグメント２は、ブロック１１０によって示されるように、左からの右上がりの対角線による陰影によって識別され、（ｉｉｉ）セグメント３は、ブロック１１３によって示されるように垂直線による陰影によって識別され、（ｉｖ）セグメント４は、ブロック１１４によって示されるように水平線の陰影によって識別され、（ｖ）セグメント５は、ブロック１１６によって示されるように点による陰影によって識別されることを示す。図１００において、セグメント５は、隣接していてセグメント１、２、３、及び４の各々のセグメントの１／４と重なり合うことを観察することができる。この例においては、セグメント１乃至４は、互いに重なり合わず、他方、セグメント５は、セグメント１、２、３、及び４の各々と重なり合うのを観察することができる。
【０００７】
図１５０は、周波数を縦軸１５２、時間を横軸１５４に示すグラフである。図１５０に対応する凡例１５６は、（ｉ）セグメント１は、ブロック１５８によって示されるように、左からの右下りの対角線による陰影によって識別され、（ｉｉ）セグメント２は、ブロック１６０によって示されるように、左からの右上がりの対角線による陰影によって識別され、（ｉｉｉ）セグメント３は、ブロック１６２によって示されるように垂直線による陰影によって示され、（ｉｖ）セグメント４は、ブロック１６４によって示されるように水平線による陰影によって識別され、（ｖ）セグメント５は、ブロック１６６によって示されるように点による陰影によって識別されることを示す。図１５０において、セグメント５は、隣接しておらず、セグメント１、２、３、及び４の各々のセグメントの１／４と重なり合うことを観察することができる。
【０００８】
セグメントが異なる無線端末から複数の受信アンテナ素子を有する基地局へのアップリンクシグナリングに関して使用中である図１の例について検討する。セグメント５のユーザとセグメント１、２、３、及び４のユーザの各々との間においてＳＮＲ範囲判定基準を適用しなければならない。セグメント１、２、３、及び４に対応するユーザのうちの１つが低ＳＮＲにおいて動作中であり、他の１つが高ＳＮＲにおいて動作中であると仮定すると、セグメント５ユーザの動作点がどれであるかにかかわらず、ユーザ１、２、３、及び４のうちの１つに関してＳＮＲ範囲判定基準に違反することになるというジレンマを抱える。このことは、これらのセグメントのうちの１つにおいてほとんど常に復号誤りに至ることになる。
【０００９】
既知の技法は、複数のデバイスによる資源のある程度の使用を可能にする一方で、複数のデバイスが同じ構成資源を共有するのを可能にする改良された方法及び装置が必要である。重なり合う資源のチャネルベクトルが、複数の基地局アンテナを有する環境における資源の再使用の観点から直交であるのが望ましい。重なり合うセグメントが複数の基地局アンテナを有する環境における資源の再使用の観点から同じ電力レベル及び／又は同じＳＮＲを有することが有益になる。さらに、方法及び装置が、例えば電力レベル及び／又はＳＮＲの点で、システム内のユーザに関する様々な動的範囲をサポートするのが有利である。
【発明の概要】
【００１０】
エアリンク資源の改良された利用のための方法及び装置が説明される。幾つかの、ただし必ずしもすべてではない実施形態においては、基地局は、無線端末と通信するための複数の受信アンテナ素子及び複数の送信アンテナ素子のうちの少なくとも１つを含む。前記基地局は、前記基地局を用いる無線端末に対応するチャネル推定ベクトルを生成し、生成されたチャネル推定ベクトルは、異なる基地局アンテナ素子に対応する異なる要素を含む。前記基地局は、異なる無線端末に対応する対のチャネル推定ベクトル間における直交レベルを決定する。様々な実施形態においては、前記基地局によって割り当てられるセグメントの少なくとも一部は、時間及び周波数の点で実質的に重なり合い、例えば、前記セグメントは、完全に又は高い程度で重なり合う。実質的に直交であるチャネル推定ベクトルを有する無線端末対をマッチングさせて実質的に重なり合うセグメントに割り当てることができ、幾つかの実施形態においてはマッチングされて実質的に重なり合うセグメントに割り当てられる。様々な実施形態においては、前記セグメントと関連づけられた電力レベル及び／又はＳＮＲは、実質的に同じであるように制御される。
【００１１】
複数の無線端末とともに用いるための複数のアンテナ素子を含む基地局を動作させる１つの典型的方法は、第１及び第２の無線端末を、前記第１及び第２の無線端末にそれぞれ対応する第１及び第２のチャネル推定ベクトルに基づいて複数の無線端末から選択することを含む。１つの該典型的実施形態においては、前記第１及び第２のチャネル推定ベクトルの各々は、前記複数のアンテナ素子のうちの異なるアンテナ素子に対応するチャネル情報を含む。前記典型的方法においては、前記基地局は、前記選択された第１及び第２の無線端末に割り当て情報を送信し、前記選択された第１及び第２の無線端末は第１及び第２のセグメントがそれぞれ割り当てられる。幾つかの実施形態においては、前記割り当てられた第１及び第２のセグメントは、少なくとも実質的に重なり合う通信資源を含む。１つの典型的実施形態による典型的基地局は、無線端末と通信するための複数のアンテナ素子と、第１及び第２の無線端末を、前記第１及び第２の無線端末にそれぞれ対応する第１及び第２のチャネル推定ベクトルに基づいて複数の無線端末から選択するための選択モジュールと、を含む。１つの、ただし必ずしもすべてではない実施形態においては、前記第１及び第２のチャネル推定ベクトルの各々は、前記複数のアンテナ素子のうちの異なるアンテナ素子に対応するチャネル情報を含む。前記基地局は、前記選択された第１及び第２の無線端末に割り当て情報を送信するための送信モジュールも含むことができ、幾つかの実施形態においては含む。前記選択された第１及び第２の無線端末は、第１及び第２のセグメントがそれぞれ割り当てられている端末であり、前記第１及び第２のセグメントは、少なくとも実質的に重なり合う通信資源を含む。
【００１２】
上記の発明の概要においては様々な実施形態が説明されている一方で、必ずしもすべてではない実施形態が同じ特徴を含むこと、及び上述される特徴の一部は、必要ではないが幾つかの実施形態においては望ましい可能性があることが理解されるべきである。従って、上述されるすべての特徴は、この発明の各実施形態において要求されるとは解釈すべきでない。数多くの追加の特徴、実施形態及び利益が後続する発明を実施するための形態において説明される。
【図面の簡単な説明】
【００１３】
【図１】多アンテナ素子基地局構成における既知のエアリンク資源再使用手法を示した図である。
【図２】様々な実施形態による、基地局が無線端末からアップリンク信号を受信するために複数のアンテナ素子を用いる典型的な多元接続無線通信システムを示した図である。
【図３】様々な実施形態による、基地局が無線端末にダウンリンク信号を送信するために複数の送信素子を用いる典型的な多元接続無線通信システムを示した図である。
【図４】複数の無線端末とともに用いるための複数の受信アンテナ素子を含む基地局を動作させる典型的方法のフローチャートである。
【図５】複数の無線端末とともに用いるための複数の送信アンテナ素子を含む基地局を動作させる典型的方法のフローチャートである。
【図６】様々な実施形態による、２つのセグメントが完全に重なり合う典型的な重なり合うセグメントを含む典型的エアリンク資源の図と、対応する制約情報の表と、を含む。
【図７】様々な実施形態による、２つのセグメントが実質的に重なり合う典型的な重なり合うセグメントを含む典型的エアリンク資源の図と、対応する制約情報の表と、を含む。
【図８】様々な実施形態による、１つのセグメントが２つのその他のセグメントと実質的に重なり合う典型的な重なり合うセグメントを含む典型的エアリンク資源の図と、対応する制約情報の表と、を含む。
【図９】様々な実施形態による、２つのセグメントが実質的に重なり合う典型的な重なり合うセグメントを含む典型的エアリンク資源の図と、対応する制約情報の表と、を含む。
【図１０】様々な実施形態による、３つのセグメントが互いに完全に重なり合う典型的な重なり合うセグメントを含む典型的エアリンク資源の図と、対応する制約情報の表と、を含む。
【図１１】様々な実施形態による、第１の組の２つのセグメントが互いに完全に重なり合い及び第２の組の２つのセグメントが互いに完全に重なり合う典型的な重なり合うセグメントを含む典型的エアリンク資源の図と、対応する制約情報の表と、を含む。
【図１２】様々な実施形態による、典型的エアリンク資源、典型的な実質的に重なり合うセグメント、無線端末と関連づけられた典型的な生成されたチャネル推定ベクトル、典型的な相互相関情報、典型的なセグメント割り当て情報、及び典型的な電力制御情報を示した図である。
【図１３】様々な実施形態による、典型的な無線通信システム、例えば、ＯＦＤＭ無線通信システム、を示した図である。
【図１４】様々な実施形態において実装される典型的基地局１４００を示した図である。
【図１５】様々な実施形態において実装される典型的基地局１５００を示した図である。
【図１６】図１６Ａ、図１６Ｂ、図１６Ｃ及び図１６Ｄの組み合わせからなる図である。
【図１６Ａ】様々な実施形態による複数のアンテナ素子を含む基地局を動作させる典型的方法のフローチャートである。
【図１６Ｂ】様々な実施形態による複数のアンテナ素子を含む基地局を動作させる典型的方法のフローチャートである。
【図１６Ｃ】様々な実施形態による複数のアンテナ素子を含む基地局を動作させる典型的方法のフローチャートである。
【図１６Ｄ】様々な実施形態による複数のアンテナ素子を含む基地局を動作させる典型的方法のフローチャートである。
【図１７】様々な実施形態による典型的な実質的に重なり合うセグメントを示した図である。
【図１８】様々な実施形態による典型的な実質的に重なり合うセグメントを示した図である。
【図１９】様々な実施形態による典型的な実質的に重なり合うセグメントを示した図である。
【図２０】様々な実施形態による複数の無線端末とともに用いるための複数のアンテナ素子を含む基地局を動作させる典型的方法のフローチャートである。
【図２１】様々な実施形態による典型的基地局を示した図である。
【発明を実施するための形態】
【００１４】
図２は、様々な実施形態による、基地局が無線端末からアップリンク信号を受信するために複数の受信アンテナ素子を用いる典型的な多元接続無線通信システム２００の図である。幾つかの実施形態においては、システム２００は、バックホールネットワークを介してひとつに結合される複数の基地局を含む。典型的無線通信システム２００は、基地局２０２と、複数の無線端末（ＷＴ１  ２０４、．．．、ＷＴＮ  ２０６）と、を含む。典型的基地局２０２は、複数の受信アンテナ素子（受信アンテナ素子１  ２２０、受信アンテナ素子２  ２２２、．．．、受信アンテナ素子ｋ  ２２４）を含む。ＷＴ１  ２０４は、チャネル値（ｈ１，１、ｈ２，１、．．．、ｈｋ，１）をそれぞれ有する、無線通信リンク（２０８、２１０、．．．、２１２）をそれぞれ介して基地局２０２のアンテナ素子（２２０、２２２、．．．、２２４）に結合される。ＷＴＮ  ２０６は、チャネル値（ｈ１，Ｎ、ｈ２，Ｎ、．．．、ｈｋ，Ｎ）をそれぞれ有する、無線通信リンク（２１４、２１６、．．．、２１８）をそれぞれ介して基地局２０２のアンテナ素子（２２０、２２２、．．．、２２４）に結合される。基地局２０２は、受信機モジュール２２６と、チャネル推定ベクトル生成モジュール２２８と、アップリンクセグメント選択モジュール２３０と、割り当てモジュール２３２と、送信モジュール２３４と、電力制御モジュール２３６と、を含む。基地局２０２は、エアリンク資源情報２３８と、チャネル推定ベクトル情報（ＷＴ１チャネル推定ベクトル２４２、．．．、ＷＴＮチャネル推定ベクトル２４４）と、も含む。エアリンク資源情報２３８は、複数のアップリンクセグメントに対応する情報を含む。アップリンクセグメントの少なくとも一部は、その他のアップリンクセグメントと実質的に重なり合い、重なり合うセグメント情報２４０は、重なり合うセグメント、重なり合うエリア、重なり合う資源の割り当てに関する判定基準、例えばチャネル状態に関する制約及び／又は受信電力に関する制約、を識別する。
【００１５】
受信機モジュール２２６は、アンテナ素子（２２０、２２２、．．．、２２４）に結合され、無線端末からアップリンク信号を受信する。受信されたアップリンク信号の少なくとも一部は、同じエアリンク資源を用いて異なる無線端末から通信される。例えば、２つのアップリンクトラフィックチャネルセグメントは、幾つかの実施形態においては、共通する一組のＯＦＤＭトーン−シンボルを占める。チャネル推定ベクトル生成モジュール２２８は、受信機モジュール２２６に結合され、受信された信号を測定し、異なる無線端末（ＷＴ１チャネル推定ベクトル２４２、，，，、ＷＴＮチャネル推定ベクトル２４４）に対応するチャネル推定ベクトルを生成する。生成されたチャネル推定ベクトルの異なる要素は、異なる受信アンテナ素子に対応する。アップリンクセグメント選択モジュール２３０は、いずれの無線端末にいずれのアップリンクセグメントを割り当てるかを選択する。重なり合うセグメントに関して、アップリンクセグメント選択モジュール２３０は、チャネル推定情報を用いて、実質的に直交であるチャネル推定ベクトル、例えば０．２よりも小さい相互相関係数値の大きさ、を有する無線端末を選択する。割り当てモジュール２３２は、重なり合うセグメントに対応する割り当てを含む割り当て情報を搬送するための割り当て信号を生成する。送信モジュール２３４は、生成された割り当て信号を含むダウンリンク信号を無線端末に送信する。電力制御モジュール２３６は、無線端末アップリンク信号の受信された電力レベルを制御する、例えば、重なり合うアップリンクセグメントの受信された電力が実質的に同じ、例えば３ｄＢ以内の、受信電力を有するように制御する。幾つかの実施形態においては、割り当てられたセグメントに関する生成された電力制御情報は、割り当て信号内に含められる。
【００１６】
図３は、様々な実施形態による、基地局が無線端末にダウンリンク信号を送信するために複数の送信素子を用いる典型的な多元接続無線通信システム３００の図である。幾つかの実施形態においては、システム３００は、バックホールネットワークを介してひとつに結合される複数の基地局を含む。典型的無線通信システム３００は、基地局３０２と、複数の無線端末（ＷＴ１  ３０４、．．．、ＷＴＮ  ３０６）と、を含む。典型的基地局３０２は、複数の送信アンテナ素子（送信アンテナ素子１  ３２０、送信アンテナ素子２  ３２２、．．．、送信アンテナ素子ｋ  ３２４）を含む。ＷＴ１  ３０４は、チャネル値（ｈ１，１、ｈ２，１、．．．、ｈｋ，１）をそれぞれ有する、無線通信リンク（３０８、３１０、．．．、３１２）をそれぞれ介して基地局３０２のアンテナ素子（３２０、３２２、．．．、３２４）に結合される。ＷＴＮ  ３０６は、チャネル値（ｈ１，Ｎ、ｈ２，Ｎ、．．．、ｈｋ，Ｎ）をそれぞれ有する、無線通信リンク（３１４、３１６、．．．、３１８）をそれぞれ介して基地局３０２のアンテナ素子（３２０、３２２、．．．、３２４）に結合される。基地局３０２は、送信モジュール３２５と、受信機モジュール３２６と、チャネル推定ベクトル生成モジュール３２８と、ダウンリンクリンクセグメント選択モジュール３３０と、割り当てモジュール３３２と、電力制御モジュール３３６を含む送信制御モジュール３３４と、を含む。基地局３０２は、エアリンク資源情報３３８と、チャネル推定ベクトル情報（ＷＴ１チャネル推定ベクトル３４２、．．．、ＷＴＮチャネル推定ベクトル３４４）と、も含む。エアリンク資源情報３３８は、複数のダウンリンクセグメントに対応する情報を含む。ダウンリンクセグメントの少なくとも一部は、その他のダウンリンクセグメントと実質的に重なり合い、重なり合うセグメント情報３４０は、重なり合うセグメント、重なり合うエリア、重なり合う資源の割り当てに関する判定基準、例えばチャネル状態に関する制約及び／又は送信電力に関する制約、を識別する。
【００１７】
受信機モジュール３２６は、受信アンテナ素子又は受信アンテナ素子（複数）に結合され、無線端末からアップリンク信号を受信する。幾つかの受信されたアップリンク信号は、チャネル状態情報、例えばフィードバック報告及び／又はチャネルベクトル情報、を搬送する情報を含む。受信されたチャネル状態情報は、異なる無線端末に対応するチャネル推定ベクトル（ＷＴ１チャネル推定ベクトル３４２、．．．、ＷＴＮチャネル推定ベクトル３４４）を生成するためにチャネル推定ベクトル生成モジュール３２８によって用いられる。生成されたチャネル推定ベクトルの異なる要素は、異なる送信アンテナ素子に対応する。
【００１８】
送信されたダウンリンク信号の少なくとも一部は、同じエアリンク資源を用いて異なる無線端末に通信される。例えば、２つのダウンリンクトラフィックチャネルセグメントは、幾つかの実施形態においては、繰り返し時間−周波数構造における共通する一組のＯＦＤＭトーン−シンボルを占める。ダウンリンクセグメント選択モジュール３３０は、いずれの無線端末にいずれのダウンリンクセグメントを割り当てるかを選択する。重なり合うセグメントに関して、ダウンリンクセグメント選択モジュール３３０は、チャネル推定情報を用いて、実質的に直交であるチャネル推定ベクトル、例えば０．２よりも小さい相互相関係数値の大きさ、を有する無線端末を選択する。割り当てモジュール３３２は、重なり合うセグメントに対応する割り当てを含む割り当て情報を搬送するための割り当て信号を生成する。送信モジュール３３５は、送信アンテナ素子（３２０、３２２、．．．、３２４）に結合され、生成された割り当て信号及びトラフィックチャネルセグメント信号を含むダウンリンク信号を無線端末に送信する。送信制御モジュール３３４は、送信モジュール３２５の動作を制御する。送信制御モジュール３３４は、ダウンリンク信号の送信電力レベルを制御する、例えば重なり合うダウンリンクセグメントの送信電力が実質的に同じ、例えば３ｄＢ以内の、送信電力レベルを有するように制御する電力制御モジュール３３６、を含む。
【００１９】
図４は、複数の無線端末とともに用いるための複数のアンテナ素子を含む基地局を動作させる典型的方法のフローチャート４００である。動作はステップ４０２において開始し、ステップ４０２において、基地局に電源が投入されて初期化され、ステップ４０２からステップ４０４に進む。
【００２０】
ステップ４０４において、基地局は、第１及び第２の無線端末からそれぞれ受信された信号から第１及び第２のチャネル推定（値）（channel estimates）を生成する。ステップ４０４は、サブステップ４０６を含み、サブステップ４０６において、基地局は、第１及び第２の無線端末から受信された信号を測定する。動作は、ステップ４０４からステップ４０８に進む。
【００２１】
ステップ４０８において、基地局は、第１及び第２の無線端末を、該第１及び第２の無線端末にそれぞれ対応する第１及び第２のチャネル推定ベクトルに基づいて該複数の無線端末から選択し、該第１及び第２のチャネル推定ベクトルの各々は、該複数のアンテナ素子のうちの異なるアンテナ素子に対応するチャネル情報を含む。ステップ４０８は、サブステップ４１０を含む。サブステップ４１０において、基地局は、実質的に直交であるチャネル推定ベクトルを有する無線端末を選択する。幾つかの実施形態においては、実質的に直交であるチャネル推定ベクトルは、０．２よりも小さい大きさを有する相互相関係数を有する。動作は、ステップ４０８からステップ４１１に進む。
【００２２】
ステップ４１１において、基地局は、第１及び第２の無線端末に第１及び第２のセグメントをそれぞれ割り当て、該第１及び第２のセグメントは、少なくとも実質的に重なり合う通信資源を含む。様々な実施形態においては、第１及び第２のセグメントは、時間−周波数資源単位の組である。幾つかの実施形態においては、第１及び第２のセグメントのうちの１方に含まれる時間−周波数資源単位の少なくとも５０％は、第１及び第２のセグメントのうちの他方に含まれる。幾つかの実施形態においては、第１及び第２のセグメントのうちの１方に含まれる時間−周波数資源単位の１００％は、第１及び第２のセグメントのうちの他方に含まれる。幾つかの実施形態においては、第１及び第２のセグメントは、同じ数の時間−周波数資源単位を含む。動作は、ステップ４１１からステップ４１２に進む。
【００２３】
ステップ４１２において、基地局は、第３の無線端末に第３のセグメントを割り当て、該第３のセグメントは、周波数の点で該第１及び第２のセグメントと完全に又は実質的に重なり合わず、時間の点で少なくとも部分的に重なり合う。動作は、ステップ４１２からステップ４１４に進む。
【００２４】
ステップ４１４において、基地局は、第１及び第２のセグメントが割り当てられている選択された第１及び第２の無線端末に割り当て情報を送信し、ステップ４１５において、基地局は、第３の無線端末に割り当て情報を送信する。動作は、ステップ４１５からステップ４１６に進み、ステップ４１６において、基地局は、第１及び第２の無線端末から受信された信号が該基地局においてほぼ等しい平均時間−周波数単位当たり電力で受信されるように出力電力を制御するために該第１及び第２の無線端末にシグナリングし、ステップ４１８において、基地局は、第３の無線端末の受信された電力レベルが第１及び第２の無線端末から受信された信号の電力レベルと実質的に異なるように第３の無線端末の送信電力を制御するための信号を第３の無線端末に送信する。幾つかの実施形態においては、第１及び第２の無線端末から受信された信号は、互いから３ｄＢ以内の受信電力レベル内において受信される。様々な実施形態においては、第３の無線端末の受信電力レベルと第１及び第２の無線端末からの信号の受信電力レベルとの間の受信電力レベル差は、少なくとも５ｄＢである。
【００２５】
次に、ステップ４２０において、基地局は、割り当てられた第１及び第２のセグメントにおいて第１及び第２の無線端末からの信号をそれぞれ受信する。次に、ステップ４２２において、基地局は、第１及び第２の無線端末のうちの少なくとも１つに対応するチャネル推定ベクトルを用いて第１及び第２の無線端末のうちの少なくとも１つに対応する受信された信号を復号する。動作は、ステップ４２２からステップ４２４に進む。ステップ４２４において、基地局は、割り当てられた第３のセグメントにおいて第３の無線端末から信号を受信し、次にステップ４２６において、基地局は、第３の無線端末に対応する受信された信号を復号する。
【００２６】
幾つかの実施形態においては、基地局、第１の無線端末、第２の無線端末及び第３の無線端末は、多元接続ＯＦＤＭ無線通信システムの一部であり、基地局は、無線端末から信号を受信するために複数のアンテナ素子を用いる。幾つかの該実施形態においては、第１、第２の及び第３のセグメントは、繰り返しタイミング及び周波数構造におけるアップリンクトラフィックチャネルセグメントである。様々な実施形態においては、第１、第２及び第３のセグメントは、ＯＦＤＭトーン−シンボルである一組の時間−周波数単位を含む。幾つかの該実施形態においては、ＯＦＤＭトーン−シンボルの点で、第１及び第２のセグメントは、完全に重なり合うセグメントであり、第３のセグメントは、第１及び第２のセグメントの両方に関して重なり合わないセグメントである。
【００２７】
幾つかの実施形態においては、ステップ４１６の代替として、基地局は、第１及び第２のセグメントに関して、第１及び第２の無線端末からの信号が、基地局においてほぼ等しい信号対雑音比で、例えば互いから３ｄＢ以内において、受信されるように出力電力を制御するために第１及び第２の無線端末にシグナリングする。幾つかの該実施形態においては、ステップ４１８の代替として、基地局は、第３のセグメントに関して、第３の無線端末からの受信された信号が第１及び第２の無線端末からの第１及び第２のセグメント信号に対応するＳＮＲと実質的に異なる、例えば少なくとも５ｄＢ異なる、ＳＮＲを有する状態で受信されるように第３の無線端末の送信電力レベルを制御するための信号を該第３の無線端末に送信する。
【００２８】
幾つかの実施形態においては、ステップ４１６の他の代替として、基地局は、第１及び第２のセグメントに関して、第１及び第２の無線端末からの信号が、基地局においてほぼ等しい信号対雑音比で、例えば互いから３ｄＢ以内において、受信されるように出力データレートを制御するために第１及び第２の無線端末にシグナリングする。幾つかの該実施形態においては、ステップ４１８の代替として、基地局は、第３のセグメントに関して、第３の無線端末からの受信された信号が第１及び第２の無線端末からの第１及び第２のセグメント信号に対応するＳＮＲと実質的に異なる、例えば少なくとも５ｄＢ異なる、ＳＮＲを有する状態で受信されるように第３の無線端末の出力データレートを制御するための信号を該第３の無線端末に送信する。
【００２９】
図５は、複数の無線端末とともに用いるための複数のアンテナ素子を含む基地局を動作させる典型的方法のフローチャート５００である。動作はステップ５０２において開始し、ステップ５０２において、基地局に電源が投入されて初期化され、ステップ５０２からステップ５０４に進む。
【００３０】
ステップ５０４において、基地局は、第１及び第２の無線端末からそれぞれ受信された信号から第１及び第２のチャネル推定（値）を生成する。ステップ５０４は、サブステップ５０６を含み、サブステップ５０６において、基地局は、該第１及び第２の無線端末によって送信されたチャネル情報を通信する受信情報から該チャネル推定（値）を生成する。動作は、ステップ５０４からステップ５０８に進む。
【００３１】
ステップ５０８において、基地局は、第１及び第２の無線端末を、該第１及び第２の無線端末にそれぞれ対応する第１及び第２のチャネル推定ベクトルに基づいて該複数の無線端末から選択し、該第１及び第２のチャネル推定ベクトルの各々は、該複数のアンテナ素子のうちの異なるアンテナ素子に対応するチャネル情報を含む。ステップ５０８は、サブステップ５１０を含む。サブステップ５１０において、基地局は、実質的に直交であるチャネル推定ベクトルを有する無線端末を選択する。幾つかの実施形態においては、実質的に直交のチャネル推定ベクトルは、０．２よりも小さい大きさを有する相互相関係数を有する。動作は、ステップ５０８からステップ５１１に進む。
【００３２】
ステップ５１１において、基地局は、第１及び第２の無線端末に第１及び第２のセグメントをそれぞれ割り当て、該第１及び第２のセグメントは、少なくとも実質的に重なり合う通信資源を含む。様々な実施形態においては、第１及び第２のセグメントは、時間−周波数資源単位の組である。幾つかの実施形態においては、第１及び第２のセグメントのうちの１方に含まれる時間−周波数資源単位の少なくとも５０％は、他方の又は第１及び第２のセグメント内に含まれる。幾つかの実施形態においては、第１及び第２のセグメントのうちの１方に含まれる時間−周波数資源単位の１００％は、他方の又は第１及び第２のセグメント内に含まれる。幾つかの実施形態においては、第１及び第２のセグメントは、同じ数の時間−周波数資源単位を含む。動作は、ステップ５１１からステップ５１２に進む。ステップ５１２において、基地局は、第３の無線端末に第３のセグメントを割り当て、該第３のセグメントは、周波数の点で該第１及び第２のセグメントと完全に又は実質的に重なり合わず、時間の点で少なくとも部分的に重なり合う。動作は、ステップ５１２からステップ５１４に進む。
【００３３】
ステップ５１４において、基地局は、第１及び第２のセグメントがそれぞれ割り当てられている選択された第１及び第２の無線端末に割り当て情報を送信し、ステップ５１５において、基地局は、第３の無線端末に割り当て情報を送信する。動作は、ステップ５１５からステップ５１６に進む。ステップ５１６において、基地局は、第１及び第２の無線端末に対応する送信されるべき第１及び第２の信号に対して第１及び第２の変換をそれぞれ行い、第１及び第２の変換の各々は、第１及び第２のチャネル推定（値）のうちの少なくとも１つから生成される。動作は、ステップ５１６からステップ５１８に進む。
【００３４】
ステップ５１８において、基地局は、符号化された第１及び第２の信号を割り当てられた第１及び第２のセグメントにおいて第１及び第２の無線端末にそれぞれ送信する。ステップ５１８は、サブステップ５２０を含む。サブステップ５２０において、基地局は、第１及び第２の符号化された信号がほぼ等しい時間−周波数単位当たり電力で送信されるように第１及び第２の符号化された信号の送信電力を制御する。幾つかの実施形態においては、第１及び第２の無線端末への第１及び第２の符号化された信号は、それぞれ、互いから３ｄＢ以内の電力レベルで送信される。動作は、ステップ５１８からステップ５２２に進む。ステップ５２２において、基地局は、該第１及び第２の無線端末に送信された信号の電力レベルと実質的に異なる送信電力レベルを用いて該第３の無線端末に信号を送信する。幾つかの実施形態においては、送信された電力レベル差は、少なくとも５ｄＢである。
【００３５】
幾つかの実施形態においては、基地局、第１の無線端末、第２の無線端末及び第３の無線端末は、ＯＦＤＭ無線通信システムの一部であり、基地局は、無線端末に信号を送信するために複数のアンテナ素子を用いる。幾つかの該実施形態においては、第１、第２の及び第３のセグメントは、繰り返しタイミング及び周波数構造におけるダウンリンクトラフィックチャネルセグメントである。様々な実施形態においては、第１、第２及び第３のセグメントは、ＯＦＤＭトーン−シンボルである時間−周波数単位の組を含む。幾つかの該実施形態においては、ＯＦＤＭトーン−シンボルの点で、第１及び第２のセグメントは、互いに関して完全に重なり合うセグメントであり、第３のセグメントは、第１及び第２のセグメントの両方に関して重なり合わないセグメントである。
【００３６】
図６は、様々な実施形態による、２つのセグメントが完全に重なり合う典型的な重なり合うセグメントを含む典型的エアリンク資源の図６０２と、対応する制約情報の表６０４と、を含む。図６０２は、周波数を縦軸６０６、時間を横軸６０８に作図する。図６にも含まれる凡例６１０は、（ｉ）セグメント１は左からの右下りの対角線による陰影によって表されることを識別するサンプルパターン識別ブロック６１２と、（ｉｉ）セグメント２は左からの右上がりの対角線によって表されることを識別するサンプルパターン識別ブロック６１４と、（ｉｉｉ）セグメント３は垂直線による陰影によって表されることを識別するサンプルパターン識別ブロック６１６と、（ｉｖ）セグメント４は水平線による陰影によって表されることを識別するサンプルパターン識別ブロック６１８と、（ｖ）セグメント５は点による陰影によって表されることを識別するサンプルパターン識別ブロック６２０と、を含む。
【００３７】
図６０２において、セグメント３及びセグメント５は、時間周波数領域６２２において完全に重なり合うこと、例えば、セグメント３及び５は各々が同じＯＦＤＭトーン−シンボルを含むこと、を観察することができる。表６０４は、図６０２の例に対応する典型的な電力とチャネル推定ベクトルの関係を識別する。第１の列６２４は、セグメント３電力レベルがセグメント５電力レベルとほぼ同じ、例えば３ｄＢ以内、であるように制御されることを示す。セグメントがアップリンクセグメントである場合は、電力レベルは基地局における受信電力レベルである。セグメントがダウンリンクセグメントである場合は、電力レベルは基地局における送信電力レベルである。第２の列６２６は、セグメント３に割り当てられた無線端末に関するチャネル推定ベクトルがセグメント５に割り当てられた異なる無線端末に関するチャネル推定ベクトルと実質的に直交である、例えば０．２未満の相互相関係数の大きさである、ことを示す。
【００３８】
図７は、様々な実施形態による、２つのセグメントが実質的に重なり合う、典型的な重なり合うセグメントを含む典型的エアリンク資源の図７０２と、対応する制約情報の表７０４と、を含む。図７０２は、周波数を縦軸７０６、時間を横軸７０８に作図する。図７にも含まれる凡例７１０は、（ｉ）セグメント１は左からの右下りの対角線による陰影によって表されることを識別するサンプルパターン識別ブロック７１２と、（ｉｉ）セグメント２は左からの右上がりの対角線によって表されることを識別するサンプルパターン識別ブロック７１４と、（ｉｉｉ）セグメント３は垂直線による陰影によって表されることを識別するサンプルパターン識別ブロック７１６と、（ｉｖ）セグメント４は水平線による陰影によって表されることを識別するサンプルパターン識別ブロック７１８と、（ｖ）セグメント５は点による陰影によって表されることを識別するサンプルパターン識別ブロック７２０と、を含む。
【００３９】
図７０２において、セグメント５はセグメント１よりも小さく、セグメント５は、セグメント１に対応する時間周波数領域内に完全に含まれることを観察することができる。時間周波数領域７２２は、重なり合う領域に対応する。表７０４は、図７０２の例に対応する典型的な電力とチャネル推定ベクトルの関係を識別する。第１の列７２４は、セグメント１電力レベルがセグメント５電力レベルとほぼ同じである、例えば３ｄＢ以内である、ように制御されることを示す。セグメントがアップリンクセグメントである場合は、電力レベルは基地局における受信電力レベルである。セグメントがダウンリンクセグメントである場合は、電力レベルは基地局における送信電力レベルである。第２の列７２６は、セグメント１に割り当てられた無線端末に関するチャネル推定ベクトルがセグメント５に割り当てられた異なる無線端末に関するチャネル推定ベクトルと実質的に直交である、例えば０．２未満の相互相関係数の大きさである、ことを示す。
【００４０】
図８は、様々な実施形態による、１つのセグメントが２つのその他のセグメントと実質的に重なり合う、典型的な重なり合うセグメントを含む典型的エアリンク資源の図８０２と、対応する制約情報の表８０４と、を含む。図８０２は、周波数を縦軸８０６、時間を横軸８０８に作図する。図８にも含まれる凡例８１０は、（ｉ）セグメント１は左からの右下りの対角線による陰影によって表されることを識別するサンプルパターン識別ブロック８１２と、（ｉｉ）セグメント２は左からの右上がりの対角線によって表されることを識別するサンプルパターン識別ブロック８１４と、（ｉｉｉ）セグメント３は垂直線による陰影によって表されることを識別するサンプルパターン識別ブロック８１６と、（ｉｖ）セグメント４は水平線による陰影によって表されることを識別するサンプルパターン識別ブロック８１８と、（ｖ）セグメント５は点による陰影によって表されることを識別するサンプルパターン識別ブロック８２０と、を含む。
【００４１】
図８０２において、セグメント５はセグメント１と５０％の重なり合いを有し、セグメント５はセグメント３と５０％の重なり合いを有することを観察することができる。時間周波数領域８２２は、セグメント１とセグメント５との間の重なり合い領域に対応し、時間周波数領域８２３は、セグメント３と５との間の重なり合い領域に対応する。表８０４は、図８０２の例に対応する典型的な電力とチャネル推定ベクトルの関係を識別する。第１の列８２４は、セグメント１電力レベルがセグメント５電力レベルとほぼ同じである、例えば３ｄＢ以内である、ように制御されることを示す。第１の列８２４は、セグメント３電力レベルがセグメント５電力レベルとほぼ同じであるように制御されることも示す。セグメントがアップリンクセグメントである場合は、電力レベルは基地局における受信電力レベルである。セグメントがダウンリンクセグメントである場合は、電力レベルは基地局における送信電力レベルである。第２の列８２６は、セグメント１に割り当てられた無線端末に関するチャネル推定ベクトルがセグメント５に割り当てられた無線端末に関するチャネル推定ベクトルと実質的に直交である、例えば０．２未満の相互相関係数の大きさである、ことを示す。第２の列８２６は、セグメント３に割り当てられた無線端末に関するチャネル推定ベクトルがセグメント５に割り当てられた無線端末に関するチャネル推定ベクトルと実質的に直交である、例えば０．２未満の相互相関係数の大きさである、ことも示す。
【００４２】
図９は、様々な実施形態による、２つのセグメントが実質的に重なり合う典型的な重なり合うセグメントを含む典型的エアリンク資源の図９０２と、対応する制約情報の表９０４と、を含む。図９０２は、周波数を縦軸９０６、時間を横軸９０８に作図する。図９にも含まれる凡例９１０は、（ｉ）セグメント１は左からの右下りの対角線による陰影によって表されることを識別するサンプルパターン識別ブロック９１２と、（ｉｉ）セグメント２は左からの右上がりの対角線によって表されることを識別するサンプルパターン識別ブロック９１４と、（ｉｉｉ）セグメント３は垂直線による陰影によって表されることを識別するサンプルパターン識別ブロック９１６と、（ｉｖ）セグメント４は水平線による陰影によって表されることを識別するサンプルパターン識別ブロック９１８と、（ｖ）セグメント５は点による陰影によって表されることを識別するサンプルパターン識別ブロック９２０と、を含む。
【００４３】
図９０２において、セグメント３及びセグメント５は時間周波数領域９２２において実質的に重なり合うことを観察することができる。セグメント１及びセグメント５は、ある程度の重なり合いを有するが、実質的ではない（領域９２３参照）。セグメント２及びセグメント５は、ある程度の重なり合いを有するが、実質的ではない（領域９２５参照）。セグメント４及びセグメント５は、ある程度の重なり合いを有するが、実質的ではない（領域９２７参照）。表９０４は、図９０２の例に対応する典型的な電力とチャネル推定ベクトルの関係を識別する。第１の列９２４は、セグメント３電力レベルがセグメント５電力レベルとほぼ同じである、例えば３ｄＢ以内である、ように制御されることを示す。セグメントがアップリンクセグメントである場合は、電力レベルは基地局における受信電力レベルである。セグメントがダウンリンクセグメントである場合は、電力レベルは基地局における送信電力レベルである。第２の列９２６は、セグメント３に割り当てられた無線端末に関するチャネル推定ベクトルがセグメント５に割り当てられた異なる無線端末に関するチャネル推定ベクトルと実質的に直交である、例えば０．２未満の相互相関係数の大きさである、ことを示す。
【００４４】
図１０は、様々な実施形態による、３つのセグメントが互いに完全に重なり合う典型的な重なり合うセグメントを含む典型的エアリンク資源の図１００２と、対応する制約情報の表１００４と、を含む。図１００２は、周波数を縦軸１００６、時間を横軸１００８に作図する。図１０にも含まれる凡例１０１０は、（ｉ）セグメント１は左からの右下りの対角線による陰影によって表されることを識別するサンプルパターン識別ブロック１０１２と、（ｉｉ）セグメント２は左からの右上がりの対角線によって表されることを識別するサンプルパターン識別ブロック１０１４と、（ｉｉｉ）セグメント３は垂直線による陰影によって表されることを識別するサンプルパターン識別ブロック１０１６と、（ｉｖ）セグメント４は細い左からの右上がりの対角線によって表されることを識別するサンプルパターン識別ブロック１０１８と、（ｖ）セグメント５は点による陰影によって表されることを識別するサンプルパターン識別ブロック１０２０と、（ｖｉ）セグメント６は水平線の陰影によって表されることを識別するサンプルパターン識別ブロック１０２１と、を含む。
【００４５】
図１００２において、セグメント３及びセグメント５及び６は時間周波数領域１０２２において完全に重なり合う、例えばセグメント３及び５及び６は各々が同じＯＦＤＭトーンーシンボルを含む、ことを観察することができる。
【００４６】
表１００４は、図１００２の例に対応する典型的な電力とチャネル推定ベクトルの関係を識別する。第１の列１０２４は、セグメント３電力レベルがセグメント５電力レベルとほぼ同じである、例えば３ｄＢ以内である、ように制御されることを示す。第１の列１０２４は、セグメント３電力レベルがセグメント６電力レベルとほぼ同じである、例えば３ｄＢ以内である、ように制御されること、及びセグメント５電力レベルがセグメント６電力レベルとほぼ同じである、例えば３ｄＢ以内である、ように制御されることも示す。セグメントがアップリンクセグメントである場合は、電力レベルは基地局における受信電力レベルである。セグメントがダウンリンクセグメントである場合は、電力レベルは基地局における送信電力レベルである。第２の列１０２６は、セグメント３に割り当てられた無線端末に関するチャネル推定ベクトルがセグメント５に割り当てられた無線端末に関するチャネル推定ベクトルと実質的に直交である、例えば０．２未満の相互相関係数の大きさである、ことを示す。第２の列１０２６は、セグメント３に割り当てられた無線端末に関するチャネル推定ベクトルがセグメント６に割り当てられた無線端末に関するチャネル推定ベクトルと実質的に直交である、例えば０．２未満の相互相関係数の大きさである、ことも示す。さらに、第２の列１０２６は、セグメント５に割り当てられた無線端末に関するチャネル推定ベクトルがセグメント６に割り当てられた無線端末に関するチャネル推定ベクトルと実質的に直交である、例えば０．２未満の相互相関係数の大きさである、ことも示す。
【００４７】
図１１は、様々な実施形態による、第１の組の２つのセグメントが互いに完全に重なり合い及び第２の組の２つのセグメントが互いに完全に重なり合う典型的な重なり合うセグメントを含む典型的エアリンク資源の図１１０２と、対応する制約情報の表１１０４と、を含む。図１１０２は、周波数を縦軸１１０６、時間を横軸１１０８に作図する。図１１にも含まれる凡例１１１０は、（ｉ）セグメント１は左からの右下りの対角線による陰影によって表されることを識別するサンプルパターン識別ブロック１１１２と、（ｉｉ）セグメント２は左からの右上がりの対角線によって表されることを識別するサンプルパターン識別ブロック１１１４と、（ｉｉｉ）セグメント３は垂直線による陰影によって表されることを識別するサンプルパターン識別ブロック１１１６と、（ｉｖ）セグメント４は水平線による陰影よって表されることを識別するサンプルパターン識別ブロック１１１８と、（ｖ）セグメント５は左からの右上がりの対角線によって表されることを識別するサンプルパターン識別ブロック１１２０と、（ｖｉ）セグメント６は点による陰影によって表されることを識別するサンプルパターン識別ブロック１１２１と、を含む。
【００４８】
図１１０２において、セグメント１及びセグメント５は時間周波数領域１１２２において完全に重なり合う、例えばセグメント１及び５は各々が同じＯＦＤＭトーンーシンボルを含む、ことを観察することができる。さらに、図１１０２においては、セグメント３及び６は時間周波数領域１１２３において完全に重なり合う、例えばセグメント３及び６は各々が同じＯＦＤＭトーンーシンボルを含む、ことを観察することができる。表１１０４は、図１１０２の例に対応する典型的な電力とチャネル推定ベクトルの関係を識別する。第１の列１１２４は、セグメント１電力レベルがセグメント５電力レベルとほぼ同じである、例えば３ｄＢ以内である、ように制御されることを示す。第１の列１１２４は、セグメント３電力レベルがセグメント６電力レベルとほぼ同じである、例えば３ｄＢ以内である、ように制御されることも示す。セグメントがアップリンクセグメントである場合は、電力レベルは基地局における受信電力レベルである。セグメントがダウンリンクセグメントである場合は、電力レベルは基地局における送信電力レベルである。第２の列１１２６は、セグメント１に割り当てられた無線端末に関するチャネル推定ベクトルがセグメント５に割り当てられた無線端末に関するチャネル推定ベクトルと実質的に直交である、例えば０．２未満の相互相関係数の大きさである、ことを示す。第２の列１１２６は、セグメント３に割り当てられた無線端末に関するチャネル推定ベクトルがセグメント６に割り当てられた無線端末に関するチャネル推定ベクトルと実質的に直交である、例えば０．２未満の相互相関係数の大きさである、ことも示す。
【００４９】
図１２は、様々な実施形態による、典型的エアリンク資源、典型的な実質的に重なり合うセグメント、無線端末と関連づけられた典型的な生成されたチャネル推定ベクトル、典型的な相互相関関係情報、典型的なセグメント割り当て情報、及び典型的な電力制御情報を示す。エアリンク資源は、周波数、例えばＯＦＤＭトーンインデックス、を縦軸１２０３、時間、例えばＯＦＤＭシンボル送信時間間隔、を横軸１２０５に作図するグラフ１２０２によって示される。グラフ１２０２は、セグメント１に関して用いられる第１の組の１２のＯＦＤＭトーン−シンボル１２０９、セグメント２及びセグメント５に関して用いられる第２の組の１２のＯＦＤＭトーン−シンボル１２１１、セグメント３及びセグメント６に関して用いられる第３の組の１２のＯＦＤＭトーン−シンボル１２１３、及びセグメント４に関して用いられる第４の組のＯＦＤＭトーン−シンボル１２１５を識別する。表１２０４は、基地局がＷＴ、Ａ、Ｂ、Ｃ、Ｄ、Ｅ及びＦに対応するチャネル推定ベクトルを生成することを識別する。表１２０６は、基地局が可能性のある対の無線端末に対応する相互相関係数を評価し及び実質的に直交である対、例えば０．２未満の相互相関係数の大きさを有する対、を識別することを示す。この例においては、第１の識別された対は、０．１９の相互相関係数の大きさ値を有するＷＴ  ＢとＷＴ  Ｄの対であり、第２の識別された対は、０．０５の相互相関係数の大きさ値を有するＷＴ  ＡとＷＴ  Ｅの対である。基地局は、セグメントを割り当て、決定された相互相関係数情報の関数としてセグメント電力レベルを制御する。表１２０８は、典型的割り当て及び典型的電力情報を識別する。表１２０８の第１の列１２１６はセグメントを識別し、表１２０８の第２の列１２１８は割り当てられた無線端末を識別し、表１２０８の第３の列１２２０は、セグメント信号に関する制御された電力レベルを識別し、表１２０８の第４の列１２２２は、電力差情報を識別する。
【００５０】
特定の対象のセグメントは、重なり合うセグメントである。セグメント２はＷＴ  Ｂに割り当てられ、他方、セグメント５はＷＴ  Ｄに割り当てられ、それらの２つのセグメントに関する電力レベルは、実質的に同じである、例えば１ｄＢの差を有する高い電力レベルである、ように制御される。セグメント３はＷＴ  Ａに割り当てられ、他方、セグメント６はＷＴ  Ｅに割り当てられ、それらの２つのセグメントに関する電力レベルは、実質的に同じである、例えば２．９ｄＢの差を有する低い電力レベルである、ように制御される。この例においては、セグメント１と関連づけられたＷＴ  Ｃに対応する電力レベルは、セグメント２に関するＷＴ  Ｂと関連づけられた電力レベルよりも６ｄＢ高い。この例においては、セグメント６と関連づけられたＷＴ  Ｅに対応する電力レベルは、セグメント４に関するＷＴ  Ｆと関連づけられた電力レベルよりも１０ｄＢ高い。
【００５１】
セグメントがアップリンクセグメント、例えばアップリンクトラフィックチャネルセグメント、である場合は、電力レベル情報は、基地局における受信電力に当てはまる。代替として、セグメントがダウンリンクセグメント、例えばダウンリンクトラフィックチャネルセグメント、である場合は、電力レベル情報は、基地局における送信電力に当てはまる。様々な実施形態においては、電力レベル、例えばＰＡ、ＰＢ、ＰＣ、ＰＤ、ＰＥ、ＰＦは、セグメントの平均時間周波数単位当たり電力である。時間周波数単位は、例えばＯＦＤＭトーン−シンボルである。
【００５２】
図１３は、様々な実施形態による、典型的無線通信システム１３００、例えばＯＦＤＭ無線通信システム、の図である。典型的無線通信システム１３００は、各々が対応する無線カバレッジエリア（セル１  １３０６、．．．、セルＭ  １３０８）を有する複数の基地局（基地局１  １３０２、．．．、基地局Ｍ  １３０４）を含む。これらの基地局の少なくとも一部は、無線端末と通信するための複数のアンテナ素子を含む。システム１３００は、ネットワークリンク（１３２０、１３２２）をそれぞれ介して基地局（１３０２、１３０４）に結合されるネットワークノード１３１８も含む。ネットワークノード１３１８は、ネットワークリンク１３２４を介してその他のネットワークノード及び／又はインターネットに結合される。典型的無線通信システム１３００は、複数の無線端末（ＷＴ１  １３１０、．．．、ＷＴ  Ｎ１３１２、．．．、ＷＴ１’１３１４、．．．、ＷＴ  Ｎ’１３１６）も含み、無線端末の少なくとも一部は、システム１３００全体を移動することが可能なモバイルノードである。この例においては、（ＷＴ１  １３１０、ＷＴ  Ｎ１３１２）は、現在は無線リンク（１３２６、１３２８）をそれぞれ介して基地局１  １３０２に結合されており、（ＷＴ１’  １３１４、ＷＴ  Ｎ’１３１６）は、現在は無線リンク（１３３０、１３３２）をそれぞれ介して基地局Ｍ  １３０４に結合されている。アップリンク及びダウンリンクのうちの少なくとも１つに関する無線端末の少なくとも一部に関しては、少なくとも幾つかの無線端末は、シグナリング時に複数の基地局アンテナ素子と通信する。通信システム１３００において少なくとも幾つかの基地局によって用いられる少なくとも幾つかの通信セグメントは、実質的に重なり合う。
【００５３】
図１４は、様々な実施形態により実装される典型的基地局１４００の図である。典型的基地局１４００は、例えば、システム１３００の基地局（１３０２、１３０４）のうちの１つである。典型的基地局１４００は、例えば、図４のフローチャート４００の典型的方法を実装する。
【００５４】
典型的基地局１４００は、様々な要素がデータ及び情報を交換することができるバス１４１２を介してひとつに結合された受信機モジュール１４０２と、送信機モジュール１４０４と、プロセッサ１４０６と、Ｉ／Ｏインタフェース１４０８と、メモリ１４１０と、を含む。メモリ１４１０は、ルーチン１４１４と、データ／情報１４１６と、を含む。プロセッサ１４０６、例えばＣＰＵ、は、方法を実装するためにメモリ１４１０内のルーチン１４１４を実行し及びデータ／情報１４１６を用いる。
【００５５】
受信機モジュール１４０２、例えばＯＦＤＭ受信機、は、複数の受信アンテナ素子（受信アンテナ素子１  １４０５、受信アンテナ素子２  １４０７、．．．、受信アンテナ素子ｋ  １４０９）に結合され、基地局はこれらの受信アンテナ素子を介して無線端末からアップリンク信号を受信する。受信機モジュール１４０２は、チャネル測定に関して用いられる信号及びアップリンクトラフィックチャネルセグメント信号を受信する。受信機モジュール１４０２は、受信された信号を復号するための復号器１４０３を含む。
【００５６】
送信機モジュール１４０４、例えばＯＦＤＭ送信機、は、送信アンテナ１４１１に結合され、基地局は送信アンテナ１４１１を介して無線端末にダウンリンク信号を送信する。送信機モジュール１４０４によって送信されたダウンリンク信号は、アップリンクトラフィックチャネルセグメントに関する割り当て信号を含む割り当て信号と、無線端末送信電力制御信号と、を含む。
【００５７】
Ｉ／Ｏインタフェース１４０８は、基地局１４００をその他のネットワークノード、例えばルータ、その他の基地局、ＡＡＡノード、ホームエージェントノード、及び／又はインターネットに結合する。Ｉ／Ｏインタフェース１４０８は、基地局１４００をバックホールネットワークに結合することによって、基地局１４００アタッチメントポイントを用いる無線端末が異なる基地局のアタッチメントポイントを用いる他の無線端末と通信するのを可能にする。
【００５８】
ルーチン１４１４は、チャネル推定ベクトル生成モジュール１４１８と、スケジューリングモジュール１４２０と、割り当てシグナリングモジュール１４２２と、送信制御モジュール１４２４と、無線端末電力制御モジュール１４２６と、を含む。
【００５９】
チャネル推定生成モジュール１４１８は、異なる無線端末に対応するチャネル推定ベクトルを生成し、各チャネル推定ベクトルは、複数の受信アンテナ素子（１、２、．．．、Ｋ）のうちの異なるアンテナ素子に対応するチャネル情報を含む。チャネル推定ベクトル生成モジュール１４１８は、受信信号測定モジュール１４２８を含む。受信信号測定モジュール１４２８は、個々の無線端末に関して、受信された信号を測定し、測定結果は、チャネル推定ベクトルを決定する際に用いられる。幾つかの実施形態においては、受信された信号の少なくとも一部は、既知の信号、例えば予め決められた変調シンボル及び／又は意図的ヌル、である。例えば、無線端末によって時々用いられるＯＦＤＭトーンに対応する７つの連続する変調シンボルのドゥエルにおける１つの変調シンボルは、既知のシンボルである。
【００６０】
スケジューリングモジュール１４２０、例えばスケジューラ、は、基地局をアタッチメントポイントとして用いる無線端末に対するアップリンク及びダウンリンクエアリンク資源、例えばセグメント、をスケジューリングする。基地局スケジューリングモジュール１４２０によってスケジューリングされるアップリンクセグメントの少なくとも一部は、実質的に重なり合っている。スケジューリングモジュール１４２０は、選択モジュール１４３０を含む。選択モジュール１４３０は、特定のセグメントが割り当てられる無線端末を複数の無線端末の中から選択する。選択モジュール１４３０は、無線端末に対応するチャネル推定ベクトルに基づいてセグメントに関する無線端末の選択を行う。幾つかの実施形態においては、選択モジュール１４３０は、少なくとも幾つかの重なり合うセグメントに関する無線端末をチャネル推定ベクトル直交性及び希望される電力レベルの関数として選択する。幾つかの実施形態においては、選択モジュール１４０３は、少なくとも幾つかの重なり合うセグメントに関する無線端末をチャネル推定ベクトル直交性及び希望されるデータレートの関数として選択する。
【００６１】
選択モジュール１４３０は、相関モジュール１４３２と、直交性に基づくスクリーニングモジュール１４３４と、を含む。相関モジュール１４３２は、２つの異なる無線端末に対応する一対のチャネル推定ベクトルに対応する相互相関係数を決定する。相互相関係数は、例えば、第１の無線端末のチャネル推定ベクトルの共役変換と第２の無線端末のチャネル推定ベクトルのクロス積を、第１のチャネル推定ベクトルの大きさと第２のチャネル推定ベクトルの大きさの積によって除して得られた結果である。例えば、典型的相互相関係数ρ＝（ｈ１＊ｘｈ２）／（｜ｈ１｜｜ｈ２｜）であり、ここで、ｈ１は、第１の無線端末チャネル推定ベクトルであり、ｈ１＊は、第１の無線端末チャネル推定ベクトルの共役変換であり、ｈ２は、第２の無線端末チャネル推定ベクトルであり、ｘは、クロス積演算子である。直交性に基づくスクリーニングモジュール１４３４は、実質的に直交であるセグメント、例えばアップリンクトラフィックチャネルセグメント、を用いるためにそれらの無線端末が割り当てられるのを可能にするためにいずれの組のチャネル推定ベクトルが互いに実質的に直交であるかを決定する。スクリーニングモジュール１４３４は、スクリーニングを行う際に相関モジュール１４３２の結果を使用し、例えば、０．２未満の相関係数の大きさ値を有する対の無線端末を実質的に重なり合うセグメントに割り当てるのが可能される。
【００６２】
割り当てシグナリングモジュール１４２２は、特定のセグメント、例えば特定のアップリンクトラフィックチャネルセグメント、を用いるために割り当てられている選択された無線端末を識別する情報を搬送するための割り当て信号を生成する。割り当てられたセグメントの一部は、互いに実質的に重なり合う。送信制御モジュール１４２４は、割り当て信号を含むダウンリンク信号を送信する、例えば選択された第１及び第２の無線端末に割り当て情報を送信する、ように送信機モジュール１４０４を制御し、選択された第１及び第２の無線端末は、割り当てられた第１及び第２のセグメントであり、第１及び第２のセグメントは、少なくとも実質的に重なり合う通信資源を含む。
【００６３】
無線端末電力制御モジュール１４２６は、割り当てられたセグメントに対応する特定の割り当てられた無線端末に関する受信信号電力及び／又は受信信号対雑音比を基地局において入手するように無線端末の出力電力を制御するための信号を生成する。無線端末電力制御モジュール１４２６は、例えば、実質的に重なり合うセグメントに対応する無線端末から受信される信号が基地局においてほぼ等しい、例えば互いから３ｄＢ以内の、平均時間−周波数単位当たり電力で受信されるように出力電力を制御するために実質的に重なり合っている第１及び第２のセグメントが割り当てられる第１及び第２の無線端末を制御する。この例を続け、基地局が、周波数の点で該第１及び第２のセグメントと完全に又は実質的に重なり合っておらず、時間の点で少なくとも部分的に重なり合っているセグメントを第３の無線端末に割り当てていると仮定すると、電力制御モジュール１４２６は、受信された電力レベルが第１及び第２の無線端末から受信された信号の電力レベルと実質的に異なる、例えば少なくとも５ｄＢ異なる、ように第３の無線端末の送信電力レベルを制御することができ、時々制御する。
【００６４】
代替として、幾つかの実施形態においては、無線端末電力制御モジュール１４２６は、例えば、実質的に重なり合うセグメントに対応する無線端末から受信される信号がほぼ等しい平均信号対雑音比で、例えば互いから３ｄＢ以内で、受信されるように出力電力を制御するために実質的に重なり合っている第１及び第２のセグメントが割り当てられる第１及び第２の無線端末を制御する。この例を続け、基地局が、周波数の点で該第１及び第２のセグメントと完全に又は実質的に重なり合っておらず、時間の点で少なくとも部分的に重なり合っているセグメントを第３の無線端末に割り当てていると仮定すると、電力制御モジュール１４２６は、受信されたＳＮＲが第１及び第２のセグメントに関して第１及び第２の無線端末から受信された信号のＳＮＲレベルと実質的に異なる、例えば少なくとも５ｄＢ異なる、ように第３のセグメントに関して第３の無線端末の送信電力レベルを制御することができ、時々制御する。
【００６５】
他の代替実施形態においては、割り当てられたセグメントに対応する特定の割り当てられた無線端末に関する受信された信号対雑音比を基地局において入手するように無線端末の出力データレートを制御するための信号を生成する無線端末出力データレート制御モジュールが含められる。例えば、無線端末出力データレート制御モジュールは、基地局において、第１及び第２の無線端末から受信された信号がほぼ等しい信号対雑音比を有する状態で、例えば互いから３ｄＢ以内で、受信されるように、第１及び第２のセグメントにそれぞれ対応する、出力データを制御するための、第１及び第２の無線端末への信号を生成する。この例を続け、基地局が、周波数の点で該第１及び第２のセグメントと完全に又は実質的に重なり合っておらず、時間の点で少なくとも部分的に重なり合っているセグメントを第３の無線端末に割り当てていると仮定すると、出力データレート制御モジュールは、受信されたＳＮＲが第１及び第２のセグメントに関して第１及び第２の無線端末から受信された信号のＳＮＲレベルと実質的に異なる、例えば少なくとも５ｄＢ異なる、ように第３のセグメントに関して第３の無線端末の出力データレートを制御することができ、時々制御する。
【００６６】
データ／情報１４１６は、システムデータ／情報１４３６と、実質的に直交するチャネル推定ベクトル１４３８を有する決定された対の無線端末を識別する情報と、無線端末データ／情報１４４０と、を含む。
【００６７】
システムデータ／情報１４３６は、ダウンリンクタイミング／周波数構造情報１４４２と、アップリンクタイミング／周波数構造情報１４４４と、相関関係判定基準情報１４４６と、電力レベル情報１４４８と、を含む。ダウンリンクタイミング／周波数構造情報１４４２は、例えば繰り返しタイミング及び周波数構造における、ダウンリンク搬送波情報と、ダウンリンク周波数帯域情報と、ダウンリンクトーン情報と、ダウンリンクトーンホッピング情報と、ダウンリンクチャネル構造情報と、を含む。ダウンリンクタイミング／周波数構造情報１４４２は、割り当て情報１４５０と、電力制御情報１４５２と、を含む。割り当て情報１４５０は、割り当てメッセージフォーマット情報と、割り当てメッセージセグメント情報と、を含む。電力制御情報１４５２は、特定のセグメント、例えば割り当てられたアップリンクトラフィックチャネルセグメント、に関する目標受信電力を制御するために用いられる無線端末電力制御情報を通信するために用いられるフォーマット情報を含む。幾つかの実施形態においては、電力情報は、割り当てメッセージの一部として通信される。幾つかの実施形態においては、割り当てられたセグメントと関連づけられた電力制御に関して別個のメッセージが用いられる。幾つかの実施形態においては、電力情報は、割り当てられたセグメントと関連づけられたデータレート情報として間接的に通信される。
【００６８】
アップリンクタイミング／周波数構造情報１４４４は、例えば繰り返しタイミング／周波数構造における、アップリンク搬送波情報と、アップリンク周波数帯域情報と、アップリンクトーン情報と、アップリンクトーンホッピング情報と、アップリンクチャネル構造情報と、を含む。アップリンクタイミング／周波数構造情報１４４４は、繰り返し構造におけるトラフィックチャネルセグメント情報１４５４、例えばインデックスが付されたアップリンクトラフィックチャネルセグメントを識別する情報、を含む。特定のセグメントは、一組の時間−周波数資源単位、例えば一組のＯＦＤＭトーン−シンボル、に対応する。アップリンクトラフィックチャネルセグメントの少なくとも一部は、実質的に重なり合う。トラフィックチャネルセグメント情報１４５４は、重なり合うセグメント情報１４５６を含む。重なり合うセグメント情報１４５６は、互いに実質的に重なり合うセグメントを識別する。幾つかの実施形態においては、互いに実質的に重なり合う幾つかのセグメントは、互いに完全に重なり合う。
【００６９】
相関関係判定基準情報１４４６は、実質的に直交であるチャネル推定ベクトル、例えば０．２の相互相関係数の大きさ値、を有する対のＷＴを識別するためにスクリーニングモジュール１４３４によって用いられる判定基準を含む。電力レベル情報１４４８は、実質的に重なり合うセグメントに関して、無線端末電力制御モジュール１４２６によって用いられる受信電力制御限度、例えば３ｄＢの限度、を含む。
【００７０】
実質的に直交であるチャネル推定ベクトルを有する決定された対の無線端末を識別する情報１４３８は、スクリーニングモジュール１４３４の出力である。幾つかの実施形態においては、スクリーニングモジュール１４３４は、一組の３つ以上の実質的に重なり合うセグメント、例えば３つのセグメント、を３つ以上の受信アンテナ素子を有する基地局とともに用いることになる一組の３つ以上の無線端末、例えば３つの無線端末、を識別する。
【００７１】
ＷＴデータ／情報１４４０は、複数の組のＷＴデータ／情報（ＷＴ１データ／情報１４５８，．．．、ＷＴ  Ｎデータ／情報１４６０）を含む。ＷＴ１データ／情報１４５８は、チャネル測定のために用いられる受信信号１４６２と、生成されたチャネル推定ベクトル１４６４と、割り当てられたアップリンクトラフィックチャネルセグメント情報１４６６と、を含む。チャネル推定モジュール１４６２に関して用いられる受信信号は、測定モジュール１４２８への入力であり、生成されたチャネル推定ベクトル１４６４は、チャネル推定ベクトル生成モジュール１４１８からの出力である。割り当てられたアップリンクトラフィックチャネルセグメント情報１４６６は、セグメント識別情報１４６８と、電力制御情報１４７０と、受信されたトラフィックセグメント情報１４７２と、復号された情報１４７４と、を含む。セグメント識別情報１４６８は、ＷＴ１に対してモジュール１４２０によってスケジューリングされるアップリンクトラフィックチャネルセグメントを識別し、割り当ては、割り当てシグナリングモジュール１４２２によって生成された割り当て信号によって搬送される。割り当てられたセグメントは、他の割り当てられたセグメントと実質的に重なり合うセグメントであることができ、時々該セグメントであり、他方の割り当てられたセグメントは、ＷＴ１のチャネル推定ベクトルと実質的に直交であるチャネル推定ベクトルを有する異なる選択された無線端末に割り当てられる。電力制御情報１４７０は、セグメントＩＤ情報１４６８によって識別されたセグメントに対応するＷＴ電力制御情報である。受信されたトラフィックセグメント情報は、復号された情報１４７４を入手するために復号器１４０３によって処理されるセグメントＩＤ情報によって識別される割り当てられたアップリンクトラフィックチャネルセグメントにおいて通信される受信情報である。
【００７２】
様々な実施形態においては、セグメント、例えばアップリンクトラフィックチャネルセグメント、は、時間−周波数資源の組、例えばＯＦＤＭトーン−シンボルの組、である。幾つかの実施形態においては、第１及び第２のセグメント、例えば第１及び第２のアップリンクトラフィックチャネルセグメント、は、第１及び第２のセグメントのうちの１方に含まれる時間−周波数資源単位の少なくとも５０％が第１及び第２のセグメントのうちの他方に含まれる場合に実質的に重なり合うとみなされる。幾つかの該実施形態において、少なくとも幾つかのセグメントに関しては、第１及び第２のセグメントのうちの１方に含まれる時間−周波数資源単位の１００％が第１の及び第２のセグメントのうちの他方に含まれる。幾つかの実施形態においては、第１及び第２のセグメントは、同じ数の時間−周波数資源単位を含む。幾つかの実施形態においては、第１及び第２のセグメントは、同じ数の時間−周波数資源単位と、同じ組の時間−周波数資源単位と、を含む。
【００７３】
図１５は、様々な実施形態により実装される典型的基地局１５００の図である。典型的基地局１５００は、例えば、システム１３００の基地局（１３０２、１３０４）のうちの１つである。典型的基地局１５００は、例えば、図５のフローチャート５００の典型的方法を実装する。
【００７４】
典型的基地局１５００は、様々な要素がデータ及び情報を交換することができるバス１５１２を介してひとつに結合された受信機モジュール１５０２と、送信機モジュール１５０４と、プロセッサ１５０６と、Ｉ／Ｏインタフェース１５０８と、メモリ１５１０と、を含む。メモリ１５１０は、ルーチン１５１４と、データ／情報１５１６と、を含む。プロセッサ１５０６、例えばＣＰＵ、は、方法を実装するためにメモリ１５１０内のルーチン１５１４を実行し及びデータ／情報１５１６を用いる。
【００７５】
受信機モジュール１５０２、例えばＯＦＤＭ受信機、は、受信アンテナ１５０３に結合され、基地局は受信アンテナ１５０３を介して無線端末からアップリンク信号を受信する。受信機モジュール１５０２は、チャネル状態情報、例えば、チャネル状態のフィードバック報告及び／又は無線端末決定チャネル推定ベクトル情報、を通信する信号を受信する。
【００７６】
送信機モジュール１５０４、例えばＯＦＤＭ送信機、は、複数の送信アンテナ素子（送信アンテナ素子１  １５０５、送信アンテナ素子２  １５０７、送信アンテナ素子ｋ  １５０９）に結合され、基地局はこれらの複数の送信アンテナ素子を介して無線端末にダウンリンク信号を送信する。基地局は、個々の無線端末にダウンリンク信号を送信するために複数の送信アンテナ素子を同時並行して用いる。送信機モジュール１５０４によって送信されたダウンリンク信号は、パイロット信号、意図的ヌル信号及び広帯域同期化信号等の既知の信号と、ダウンリンクトラフィックチャネルセグメントに関する割り当て信号を含む割り当て信号と、ダウンリンクトラフィックセグメント信号と、を含む。ダウンリンクトラフィックチャネルセグメントの少なくとも一部は、その他のダウンリンクトラフィックチャネルセグメントと実質的に重なり合う。
【００７７】
Ｉ／Ｏインタフェース１５０８は、基地局１５００をその他のネットワークノード、例えばルータ、その他の基地局、ＡＡＡノード、ホームエージェントノード、及び／又はインターネットに結合する。Ｉ／Ｏインタフェース１５０８は、基地局１５００をバックホールネットワークに結合することによって、基地局１５００アタッチメントポイントを用いる無線端末が異なる基地局のアタッチメントポイントを用いる他の無線端末と通信するのを可能にする。
【００７８】
ルーチン１５１４は、チャネル推定ベクトル生成モジュール１５１８と、スケジューリングモジュール１５２０と、割り当てシグナリングモジュール１５２２と、出力信号生成モジュール１５２３と、送信制御モジュール１５２４と、を含む。
【００７９】
チャネル推定生成モジュール１５１８は、異なる無線端末に対応するチャネル推定ベクトルを生成し、各チャネル推定ベクトルは、複数の送信アンテナ素子（１、２、．．．、Ｋ）のうちの異なる送信アンテナ素子に対応するチャネル情報を含む。チャネル推定ベクトル生成モジュール１５１８は、通信されたチャネル情報復元モジュール１５２６を含む。通信されたチャネル情報復元モジュール１５２６は、個々の無線端末に関して、チャネル情報、例えば無線端末測定値に基づくチャネル状態の無線端末フィードバック報告及び／又は無線端末測定値に基づく無線端末チャネル推定ベクトルを受信されたアップリンク信号から復元する。
【００８０】
スケジューリングモジュール１５２０、例えばスケジューラ、は、基地局をアタッチメントポイントとして用いる無線端末に対するアップリンク及びダウンリンクエアリンク資源、セグメント、をスケジューリングする。基地局スケジューリングモジュール１５２０によってスケジューリングされるダウンリンクセグメントの少なくとも一部は、実質的に重なり合う。スケジューリングモジュール１５２０は、選択モジュール１５２８を含む。選択モジュール１５２８は、特定のセグメントが割り当てられる無線端末を複数の無線端末の中から選択する。選択モジュール１５２８は、無線端末に対応するチャネル推定ベクトルに基づいてセグメントに関する無線端末の選択を行う。幾つかの実施形態においては、選択モジュール１５２８は、少なくとも幾つかの重なり合うセグメントに関する無線端末をチャネル推定ベクトル直交性及び希望される電力レベルの関数として選択する。幾つかの実施形態においては、選択モジュール１５３０は、少なくとも幾つかの重なり合うセグメントに関する無線端末をチャネル推定ベクトル直交性及び希望されるデータレートの関数として選択する。
【００８１】
選択モジュール１５２８は、相関モジュール１５３０と、直交性に基づくスクリーニングモジュール１５３２と、を含む。相関モジュール１５３０は、２つの異なる無線端末に対応する一対のチャネル推定ベクトルに対応する相互相関係数を決定する。相互相関係数は、例えば、第１の無線端末のチャネル推定ベクトルの共役変換と第２の無線端末のチャネル推定ベクトルのクロス積を、第１のチャネル推定ベクトルの大きさと第２のチャネル推定ベクトルの大きさの積によって除して得られた結果である。例えば、典型的相互相関係数ρ＝（ｈ１＊ｘｈ２）／（｜ｈ１｜｜ｈ２｜）であり、ここで、ｈ１は、第１の無線端末チャネル推定ベクトルであり、ｈ１＊は、第１の無線端末チャネル推定ベクトルの共役変換であり、ｈ２は、第２の無線端末チャネル推定ベクトルであり、ｘは、クロス積演算子である。直交性に基づくスクリーニングモジュール１５３２は、実質的に直交であるセグメント、例えばアップリンクトラフィックチャネルセグメント、を用いるためにそれらの無線端末が割り当てられるのを可能にするためにいずれの組のチャネル推定ベクトルが互いに直交であるかを決定する。スクリーニングモジュール１５３２は、スクリーニングを行う際に相関モジュール１５３０の結果を使用し、例えば、０．２未満の相関係数の大きさ値を有する対の無線端末を実質的に重なり合うセグメントに割り当てるのが可能にされる。
【００８２】
割り当てシグナリングモジュール１５２２は、特定のセグメント、例えば特定のダウンリンクトラフィックチャネルセグメント、を用いるために割り当てられている選択された無線端末を識別する情報を搬送するための割り当て信号を生成する。割り当てられたセグメントの一部は、互いに実質的に重なり合う。出力信号生成モジュール１５２３は、複数の送信アンテナ素子を用いて送信機モジュール１５０４によって送信されるべき出力信号を生成する。出力信号生成モジュール１５２３は、変換モジュール１５３５を含み、変換モジュール１５３５は、入力信号に変換情報を適用して変換された信号を生成する。特定の無線端末に関して用いられる変換は、例えば同じエアリンク資源を用いる異なる無線端末を対象とする信号間での分離を無線端末受信機において行うことを可能にするために、その無線端末に対応する生成されたチャネル推定ベクトルの関数として決定される。例えば、第１及び第２の無線端末には、実質的に又は完全に重なり合う第１及び第２のダウンリンクトラフィックチャネルセグメントを割り当てることが可能であり、第１のセグメントに関する第１の無線端末信号処理のために用いられる第１の変換は、第１の無線端末に対応する第１のチャネル推定ベクトルから生成され、第２のセグメントに関する第２の無線端末信号処理のために用いられる第２の変換は、第２の無線端末に対応する第２のチャネル推定ベクトルから生成され、第１及び第２のチャネル推定ベクトルは実質的に直交である。
【００８３】
送信制御モジュール１５２４は、割り当て信号を含むダウンリンク信号を送信する、例えば選択された第１及び第２の無線端末に割り当て情報を送信する、ように送信機モジュール１５０４を制御し、選択された第１及び第２の無線端末には第１及び第２のダウンリンクセグメントが割り当てられ、第１及び第２のセグメントは、少なくとも実質的に重なり合う通信資源を含む。送信制御モジュール１５２４は、例えば第１及び第２の割り当てられたダウンリンクトラフィックチャネルセグメントにおいて、ダウンリンクトラフィックチャネルセグメント信号を割り当てられた第１及び第２の無線端末にそれぞれ送信するように送信機モジュール１５０４も制御する。送信制御モジュール１５２４は、電力制御モジュール１５３４を含む。電力制御モジュール１５３４は、ダウンリンクセグメント信号の電力レベルを制御する。例えば、電力制御モジュール１５３４は、ほぼ等しい、例えば互いに３ｄＢ以内の、平均時間−周波数単位当たり電力で送信されるべき２つのセグメントに対応する符号化された出力信号を制御するために、第１及び第２の無線端末に割り当てられ及び実質的に重なり合う第１及び第２のセグメントの第１及び第２の送信電力レベルを制御する。第１及び第２のセグメントは、例えばダウンリンクトラフィックチャネルセグメントである。この例を続け、基地局が、周波数の点で該第１及び第２のセグメントと完全に又は実質的に重なり合っておらず時間の点で少なくとも部分的に重なり合っているセグメントを第３の無線端末に割り当てていると仮定すると、電力制御モジュール１５３４は、そのセグメントに対応する信号に関する送信電力レベルが第１及び第２の無線端末に送信された信号の電力レベルと実質的に異なる、例えば少なくとも５ｄＢ異なる、ように制御することができ、時々制御する。
【００８４】
データ／情報１５１６は、システムデータ／情報１５３６と、実質的に直交するチャネル推定ベクトルを有する決定された対の無線端末を識別する情報１５３８と、無線端末データ／情報１５４０と、を含む。
【００８５】
システムデータ／情報１５３６は、アップリンクタイミング／周波数構造情報１５４２と、ダウンリンクタイミング／周波数構造情報１５４４と、相関関係判定基準情報１５４６と、電力レベル情報１５４８と、を含む。アップリンクタイミング／周波数構造情報１５４２は、例えば繰り返しタイミング及び周波数構造における、アップリンク搬送波情報と、アップリンク周波数帯域情報と、アップリンクトーン情報と、アップリンクトーンホッピング情報と、アップリンクチャネル構造情報と、を含む。アップリンクタイミング／周波数構造情報１５４２は、チャネル状態信号情報、例えば、チャネル状態報告及び／又はチャネル状態推定ベクトル情報が受信されるセグメントを識別する情報、を含む。
【００８６】
ダウンリンクタイミング／周波数構造情報１５４４は、例えば繰り返しタイミング及び周波数構造における、ダウンリンク搬送波情報と、ダウンリンク周波数帯域情報と、ダウンリンクトーン情報と、ダウンリンクトーンホッピング情報と、ダウンリンクチャネル構造情報と、を含む。ダウンリンクタイミング／周波数構造情報１５４４は、繰り返し構造におけるトラフィックチャネルセグメント情報１５５２、例えばインデックスが付されたダウンリンクトラフィックチャネルセグメントを識別する情報、を含む。特定のセグメントは、時間−周波数資源単位の組、例えばＯＦＤＭトーン−シンボルの組、に対応する。ダウンリンクトラフィックチャネルセグメントの少なくとも一部は、実質的に重なり合う。トラフィックチャネルセグメント情報１５５２は、重なり合うセグメント情報１５５６を含む。重なり合うセグメント情報１５５６は、互いに実質的に又は完全に重なり合うセグメントを識別する。ＤＬタイミング及び周波数構造情報１５４４は、割り当て信号情報、例えば割り当て信号において用いられるトラフィックチャネル割り当て及び／又はフォーマットを搬送するために用いられるセグメントを識別する情報、も含む。
【００８７】
相関関係判定基準情報１５４６は、実質的に直交であるチャネル推定ベクトル、例えば０．２の相互相関係数の大きさ値、を有する対のＷＴを識別するためにスクリーニングモジュール１５３２によって用いられる判定基準を含む。電力レベル情報１５４８は、実質的に重なり合うセグメントに関して、電力制御モジュール１５３４によって用いられる送信電力制御限度、例えば３ｄＢの限度、を含む。
【００８８】
実質的に直交であるチャネル推定ベクトルを有する決定された対の無線端末を識別する情報１５３８は、スクリーニングモジュール１５３２の出力である。幾つかの実施形態においては、スクリーニングモジュール１５３２は、一組の３つ以上の実質的に重なり合うセグメント、例えば３つのセグメント、を３つ以上の送信アンテナ素子を有する基地局とともに用いることになる一組の３つ以上の無線端末、例えば３つの無線端末、を識別する。
【００８９】
ＷＴデータ／情報１５４０は、複数の組のＷＴデータ／情報（ＷＴ１データ／情報１５５８，．．．、ＷＴ  Ｎデータ／情報１５６０）を含む。ＷＴ１データ／情報１５５８は、チャネル情報１５６２を通信する受信信号と、生成されたチャネル推定ベクトル１５６４と、変換情報１５６４と、割り当てられたダウンリンクトラフィックチャネルセグメント情報１５６６と、を含む。チャネル情報１５６２を通信する受信信号は、復元モジュール１５２６の出力であり、生成されたチャネル推定ベクトル１５６４は、チャネル推定ベクトル生成モジュール１５１８からの出力である。変換情報１５６５は、生成されたチャネル推定ベクトル１５６４に対応する変換である。割り当てられたダウンリンクトラフィックチャネルセグメント情報１５６６は、セグメント識別情報１５６８と、電力制御情報１５７０と、変換前信号情報１７５２と、変換後信号情報１５７４と、を含む。セグメント識別情報１５６８は、ＷＴ１に関してモジュール１５２０によってスケジューリングされたダウンリンクトラフィックチャネルセグメントを識別し、割り当ては、割り当てシグナリングモジュール１５２２によって生成された割り当て信号によって搬送される。割り当てられたセグメントは、他の割り当てられたセグメントと実質的に重なり合うセグメントであることができ、時々該セグメントであり、他方の割り当てられたセグメントは、ＷＴ１のチャネル推定ベクトルと実質的に直交であるチャネル推定ベクトルを有する異なる選択された無線端末に割り当てられる。電力制御情報１５７０は、セグメントＩＤ情報１５６８によって識別されたセグメントに対応する電力制御情報である。変換前信号情報１５７２は、変換モジュール１５３５への入力であり、変換後信号情報１５７４は、変換モジュール１５３５からの出力である。
【００９０】
様々な実施形態においては、セグメント、例えばダウンリンクトラフィックチャネルセグメント、は、時間−周波数資源の組、例えばＯＦＤＭトーン−シンボルの組、である。幾つかの実施形態においては、第１及び第２のセグメント、例えば第１及び第２のダウンリンクトラフィックチャネルセグメント、は、第１及び第２のセグメントのうちの１方に含まれる時間−周波数資源単位の少なくとも５０％が第１及び第２のセグメントのうちの他方に含まれる場合に実質的に重なり合うとみなされる。幾つかの該実施形態において、少なくとも幾つかのセグメントに関しては、第１及び第２のセグメントのうちの１方に含まれる時間−周波数資源単位の１００％が第１の及び第２のセグメントのうちの他方に含まれる。幾つかの実施形態においては、第１及び第２のセグメントは、同じ数の時間−周波数資源単位を含む。幾つかの実施形態においては、第１及び第２のセグメントは、同じ数の時間−周波数資源単位と、同じ組の時間−周波数資源単位と、を含む。
【００９１】
図１６は、図１６Ａ、図１６Ｂ、図１６Ｃ及び図１６Ｄの組み合わせを備え、様々な実施形態による複数のアンテナ素子を含む基地局を動作させる典型的方法のフローチャート１６００である。典型的基地局は、例えば、図１４の基地局１４００の特徴と図１５の基地局１５００の特徴とを含む基地局である。動作はステップ１６０２において開始し、ステップ１６０２において基地局に電源が投入されて初期化される。動作は、開始ステップ１６０２からステップ１６０４、１６０６及び１６０８に進む。
【００９２】
継続的に実行されるステップ１６０４において、基地局は、基地局をアタッチメントポイントとして用いる無線端末に関するチャネル推定ベクトルを決定する。図１６Ｂは、ステップ１６０４において実行される典型的サブステップを示す。ステップ１６０４は、サブステップ１６２２と１６２４とを含む。
【００９３】
サブステップ１６２２において、基地局は、基地局をアタッチメントポイントとして用いる無線端末に関するアップリンクチャネル推定ベクトルを決定する。サブステップ１６２２は、サブステップ１６２６と１６２８とを含み、サブステップ１６２６と１６２８は、基地局をアタッチメントポイントとして現在使用中の無線端末の各々に関して実行される。サブステップ１６２６において、基地局は、受信アンテナ素子を用いて受信アップリンク信号を測定する。幾つかの実施形態においては、受信されたアップリンク信号の少なくとも一部は、既知の変調シンボル又は意図的ヌルを搬送する。幾つかの実施形態においては、変調シンボルの組内の１つの変調シンボルは、既知のシンボルであり、例えば、同じトーンを用いる固定された数の、例えば７つの、基本的送信単位のドゥエルにおける１つのシンボルは、既知の変調シンボルである。動作は、サブステップ１６２６からサブステップ１６２８に進む。サブステップ１６２８において、基地局は、アップリンクチャネル推定ベクトルを生成し、アップリンクチャネル推定ベクトルの異なる要素は、基地局の異なる受信アンテナ素子に対応する。
【００９４】
サブステップ１６２４において、基地局は、基地局をアタッチメントポイントとして用いる無線端末に関するダウンリンクチャネル推定ベクトルを決定する。サブステップ１６２４は、サブステップ１６３０と、１６３２と、１６３４と、を含む。サブステップ１６３０において、基地局は、チャネル状態を測定する際に及び／又はダウンリンクチャネル推定ベクトルを決定する際に無線端末によって受信及び利用されることが意図されるダウンリンクパイロットチャネル信号をブロードキャストする。幾つかの実施形態においては、基地局は、チャネル状態を測定する際に及び／又はダウンリンクチャネル推定ベクトルを決定する際に無線端末によって使用されるべきパイロットチャネル信号の代わりに又は該パイロットチャネル信号に加えて広帯域同期化信号を送信する。動作は、サブステップ１６３０からサブステップ１６３２に進む。サブステップ１６３２及び１６３４は、基地局を現在のネットワークアタッチメントポイントとして用いる各無線端末に関して実行される。サブステップ１６３２において、基地局は、ダウンリンク通信チャネル情報、例えば、チャネル状態フィードバック報告及び／又は無線端末決定ダウンリンクチャネル推定ベクトル、を通信するアップリンク信号を受信する。動作は、サブステップ１６３２からサブステップ１６３４に進み、サブステップ１６３４において、基地局はダウンリンクチャネル推定ベクトルを生成し、ダウンリンクチャネル推定ベクトルの異なる要素は、基地局の異なる送信アンテナ素子に対応する。
【００９５】
ステップ１６０６に戻り、ステップ１６０６において、基地局は、少なくとも実質的に重なり合っている幾つかのセグメントを含むアップリンクトラフィックチャネルセグメントの割り当てを決定する。図１６Ｃは、ステップ１６０６において実行される典型的サブステップを示す。ステップ１６０６は、サブステップ１６３６と、１６３８と、１６４０と、を含む。サブステップ１６３６において、基地局は、いずれの対の無線端末が実質的に直交であるアップリンクチャネル推定ベクトルを有するかを決定する。サブステップ１６３６は、サブステップ１６４２と、１６４４と、１６４６と、１６４８と、を含み、これらのサブステップは、各々の対の無線端末に関して実行される。サブステップ１６４２において、基地局は、対の無線端末と関連づけられた対応する対のアップリンクチャネル推定ベクトルから相互相関係数値を計算する。例えば、相互相関係数に関する値は、−1乃至＋１の範囲であることが可能であり、０の値は、完全な直交性を表す。動作は、ステップ１６４２からステップ１６４４に進む。ステップ１６４４において、基地局は、ステップ１６４２において得られた相互相関係数値の大きさが予め決められた値、例えば０．２、よりも小さいかどうかを検査する。それが予め決められた値よりも小さい場合は、動作はステップ１６４６に進み、ステップ１６４６において、基地局は、対のＷＴを、実質的に重なり合っているアップリンクトラフィックチャネルセグメントの割り当て候補として指定する。それが予め決められた値よりも大きいか又は等しい場合は、動作はステップ１６４８に進み、ステップ１６４８において、基地局は、対のＷＴを、実質的に重なり合っているアップリンクトラフィックチャネルセグメントの割り当て候補でないとして指定する。
【００９６】
サブステップ１６３８に戻り、サブステップ１６３８において、基地局は、現在はいずれの無線端末がアップリンクトラフィックチャネル資源を必要であるか、資源の必要性レベル、サポートされるデータレート及び／又は電力レベル情報を決定する。動作は、サブステップ１６３６からサブステップ１６４０に進む。
【００９７】
サブステップ１６４０において、基地局は、サブステップ１６３６及び１６３からの情報を用いてアップリンクトラフィックチャネルセグメントをスケジューリングする。サブステップ１６４０は、サブステップ１６５０と１６６０とを含む。動作は、割り当てられるべき実質的に重なり合っているアップリンクトラフィックチャネルセグメントの対のうちの各々に関してサブステップ１６５０に進む。サブステップ１６５０において、基地局は、一対の実質的に重なり合っているアップリンクセグメントの両方のセグメントが割り当てられるべきかどうかを決定した。サブステップ１６５０は、サブステップ１６５２と、１６５４と、１６５６と、を含む。サブステップ１６５２において、基地局は、割り当てられていない候補対が存在するかどうかを決定する。割り当てられていない候補対が存在する場合は、動作はステップ１６５４に進み、その他の場合は動作はステップ１６５６に進み、ステップ１６５６において、基地局は、対のうちの１つのセグメントのみを割り当て可能であると決定する。ステップ１６５４において、基地局は、両方のセグメントを割り当てるべきかどうかを、相互相関係数、利用可能資源量及びアップリンクトラフィックチャネルの必要性の関数として決定する。例えば、アップリンクチャネル資源利用が非常に少なく、過度の利用可能なセグメントが存在する場合は、幾つかの実施形態においては、１つの対の１つのセグメントは割り当てられない状態になる。資源利用が非常に多い場合は、幾つかの実施形態においては、１つの対の両方のセグメントを割り当てることができる。同じセグメント対に割り当てることができる複数の候補対が存在する幾つかの実施形態においては、より小さい相互相関関係の大きさを有する無線端末の対が選択される。幾つかの実施形態においては、代替の対から１つの対を選択する、例えば実質的に重なり合っているセグメントの対に関して最小の受信電力差を有することになる対を選択する、ために電力上の考慮事項が用いられる。
【００９８】
動作は、サブステップ１６５０からサブステップ１６６０に進む。サブステップ１６６０において、基地局は、アップリンクトラフィックチャネルセグメントを無線端末に割り当て、一対の実質的に重なり合うアップリンクトラフィックチャネルセグメントのうちの両方が割り当てられるときには、基地局は、受信電力レベルが実質的に同じであるように制御する。
【００９９】
動作はステップ１６０６からステップ１６１０に進む。ステップ１６１０において、基地局は、ステップ１６０６の決定された割り当てを搬送する割り当て情報を無線端末に通信する。ステップ１６１０において、割り当てメッセージが生成されて送信される。様々な実施形態においては、割り当てられたセグメントに対応するステップ１６０６の電力制御決定も無線端末に搬送される。幾つかの実施形態においては、電力制御情報は、セグメント割り当て信号の一部として通信される。幾つかの実施形態においては、電力制御情報は、通信されるセグメントと関連づけられたデータレート情報の一部として間接的に通信される。動作は、ステップ１６１０からステップ１６１２に進む。
【０１００】
ステップ１６１２において、基地局は、複数のアンテナ素子を用いてアップリンクトラフィックチャネルセグメント信号を受信する。例えば、ステップ１６１２は、実質的に同じ受信電力レベルで、例えば３ｄＢ以内で、実質的に重なり合っている第１及び第２の割り当てられたアップリンクトラフィックチャネルセグメントにおいて第１の無線端末及び第２の無線端末から信号を受信することを含む。この例を続け、基地局が、同じ時間間隔の少なくとも一部中において、第１及び第２のアップリンクトラフィックチャネルセグメントと実質的でない形で重なり合っているか又は重なり合っていない第３の割り当てられたアップリンクトラフィックチャネルセグメントにおいて第３の無線端末から信号を受信し、第３の無線端末信号の受信された電力レベルは、第１及び第２の無線端末の受信された電力レベルと実質的に異なる、例えば少なくとも５ｄＢの差が存在する、ことについて検討する。動作はステップ１６１２からステップ１６１４に進み、ステップ１６１４において、基地局は、通信中のアップリンクトラフィックチャネルセグメント信号情報を復元する。ステップ１６１４の復元動作は、複数の基地局受信アンテナ素子から受信された信号を用いた結合動作と復号動作とを含む信号処理を含む。動作は、ステップ１６１４からステップ１６０６に進む。
【０１０１】
ステップ１６０８に戻り、ステップ１６０８において、基地局は、少なくとも実質的に重なり合っている幾つかのセグメントを含むダウンリンクトラフィックチャネルセグメントの割り当てを決定する。図１６Ｄは、ステップ１６０８において実行される典型的サブステップを示す。ステップ１６０８は、サブステップ１６６２と、１６６４と、１６７４と、を含む。サブステップ１６６２において、基地局は、いずれの対の無線端末が実質的に直交であるダウンリンクチャネル推定ベクトルを有するかを決定する。サブステップ１６６２は、サブステップ１６６６と、１６６８と、１６７０と、１６７２と、を含み、これらのサブステップは、無線端末の各対に関して実行される。サブステップ１６６６において、基地局は、無線端末の対に関して関連づけられた対応する対のダウンリンクチャネル推定ベクトルから相互相関係数値を計算する。例えば、相互相関係数に関する値は、−1乃至＋１の範囲であることが可能であり、０の値は、完全な直交性を表す。動作は、ステップ１６６６からステップ１６６８に進む。ステップ１６６８において、基地局は、ステップ１６６６において得られた相互相関係数値の大きさが予め決められた値、例えば０．２、よりも小さいかどうかを検査する。それが予め決められた値よりも小さい場合は、動作はステップ１６７０に進み、ステップ１６７０において、基地局は、対のＷＴを、実質的に重なり合っているダウンリンクトラフィックチャネルセグメントの割り当て候補として指定する。それが予め決められた値よりも大きいか又は等しい場合は、動作はステップ１６７２に進み、ステップ１６７２において、基地局は、対のＷＴを、実質的に重なり合っているダウンリンクトラフィックチャネルセグメントの割り当て候補でないとして指定する。
【０１０２】
サブステップ１６６４に戻り、サブステップ１６６４において、基地局は、現在はいずれの無線端末がダウンリンクトラフィックチャネル資源を必要であるか、資源の必要性レベル、サポートされるデータレート及び／又は電力レベル情報を決定する。動作は、サブステップ１６６２及び１６６４からサブステップ１６７４に進む。
【０１０３】
サブステップ１６７４において、基地局は、サブステップ１６６２及び１６６４からの情報を用いてダウンリンクトラフィックチャネルセグメントをスケジューリングする。サブステップ１６７４は、サブステップ１６７６と１６８４とを含む。動作は、割り当てられるべき実質的に重なり合っているダウンリンクトラフィックチャネルセグメントの対のうちの各々に関してサブステップ１６７６に進む。サブステップ１６７６において、基地局は、一対の実質的に重なり合っているダウンリンクセグメントの対の両方のセグメントが割り当てられるべきかを決定する。サブステップ１６７６は、サブステップ１６７８と、１６８０と、１６８２と、を含む。サブステップ１６７８において、基地局は、割り当てられていない候補対が存在するかどうかを決定する。割り当てられていない候補対が存在する場合は、動作はステップ１６８０に進み、その他の場合は、動作はステップ１６８２に進み、ステップ１６８２において、基地局は、該対の１つのセグメントのみを割り当て可能であると決定する。ステップ１６８０において、基地局は、両方のセグメントを割り当てるべきかどうかを、相互相関係数、利用可能資源量及びダウンリンクトラフィックチャネルの必要性の関数として判断する。例えば、ダウンリンクチャネル資源利用が非常に少なく、過度の利用可能なセグメントが存在する場合は、幾つかの実施形態においては、１つの対の１つのセグメントが割り当てられない状態になる。資源利用が非常に多い場合は、幾つかの実施形態においては、１つの対の両方のセグメントが割り当てられる。同じセグメント対に割り当てることができる複数の候補対が存在する幾つかの実施形態においては、より小さい相互相関係数の大きさを有する無線端末の対が選択される。幾つかの実施形態においては、代替の対から１つの対を選択する、例えば実質的に重なり合っているセグメントを用いて同じ電力レベルで送信するのが有利である対を選択する、ために電力上の考慮事項が用いられる。
【０１０４】
動作は、サブステップ１６７６からサブステップ１６８４に進む。サブステップ１６８４において、基地局は、ダウンリンクトラフィックチャネルセグメントを無線端末に割り当て、一対の実質的に重なり合うアップリンクトラフィックチャネルセグメントのうちの両方が割り当てられるときには、基地局は、送信電力レベルが実質的に同じである、例えば３ｄＢ以内である、ように制御する。
【０１０５】
動作はステップ１６０８からステップ１６１６に進む。ステップ１６１６において、基地局は、ステップ１６０８の決定された割り当てを搬送する割り当て情報を無線端末に通信する。ステップ１６１８において、割り当てメッセージが生成されて送信される。幾つかの実施形態においては、ダウンリンクトラフィックチャネルセグメント及びアップリンクトラフィックチャネルセグメントの両方に関する割り当てが同じメッセージで通信される。動作は、ステップ１６１６からステップ１６１８に進む。
【０１０６】
ステップ１６１８において、基地局は、ダウンリンクトラフィックチャネルセグメント信号を生成する。例えば、ステップ１６１８は、第１及び第２の無線端末に対応する送信される第１及び第２の信号に対して第１及び第２の変換をそれぞれ行うことを含み、第１及び第２の変換の各々は、第１及び第２の無線端末にそれぞれ対応するダウンリンクチャネル推定ベクトルから基地局によって生成される。第１及び第２の変換された信号は、実質的に重なり合っているセグメントである、第１及び第２のダウンリンクトラフィックチャネルにおいてそれぞれ送信されるようにスケジューリングされる。この例を続け、第１及び第２のダウンリンクトラフィックチャネルセグメントと重なり合わない又は実質的に重なり合わない第３のダウンリンクトラフィックチャネルセグメントにおいて送信するための第３の信号を生成することができる。動作は、ステップ１６１８からステップ１６２０に進む。
【０１０７】
ステップ１６２０において、基地局は、複数のアンテナ素子を用いて生成されたダウンリンクトラフィックチャネルセグメント信号を送信する。例えば、第１及び第２の無線端末に対応する第１及び第２の変換された信号は、実質的に重なり合っている第１及び第２のダウンリンクトラフィックチャネルセグメント内に送信され、基地局は、送信電力が実質的に同じである、例えば３ｄＢ以内である、ように制御する。この例を続け、第３の無線端末に対応する第３の信号は、第１及び第２のセグメントと関連づけられた電力レベルと実質的に異なる、例えば少なくとも５ｄＢの差が存在する、電力レベルで第３のダウンリンクトラフィックチャネルセグメントにおいて送信される。動作は、ステップ１６２０からステップ１６０８に進む。
【０１０８】
様々な実施形態においては、セグメントは、時間−周波数資源の組、例えばＯＦＤＭトーン−シンボルの組、である。幾つかの実施形態においては、第１及び第２のセグメントは、第１及び第２のセグメントのうちの１方に含まれる時間−周波数資源単位の少なくとも５０％が第１及び第２のセグメントのうちの他方に含まれる場合に実質的に重なり合うとみなされる。幾つかの該実施形態において、少なくとも幾つかのセグメントに関しては、第１及び第２のセグメントのうちの１方に含まれる時間−周波数資源単位の１００％が第１の及び第２のセグメントのうちの他方に含まれる。幾つかの実施形態においては、第１及び第２のセグメントは、同じ数の時間−周波数資源単位を含む。幾つかの実施形態においては、第１及び第２のセグメントは、同じ数の時間−周波数資源単位と、同じ組の時間−周波数資源単位と、を含む。
【０１０９】
図１４、１５及び１６においては実質的に重なり合うエアリンク資源がトラフィックチャネルセグメントに関して用いられる例が説明されているが、その他の実施形態においては、割り当てられる実質的に重なり合っているセグメントは、その他の目的、例えば制御情報シグナリング、のために用いることが可能であり、時々用いられる。
【０１１０】
図１７は、様々な実施形態による典型的な実質的に重なり合うセグメントを示す図１７０２である。この例においては、利用可能なセグメントの各々は、他のセグメントと完全に重なり合う。図１７００は、周波数（ＯＦＤＭトーンインデックス）を縦軸１７０３、時間（ＯＦＤＭシンボル送信時間間隔）を横軸に作図する。エアリンク資源領域１７０９に対応する６つのＯＦＤＭトーン−シンボルは、セグメント１及びセグメント５の両方にマッピングする。エアリンク資源領域１７１１に対応する６つのＯＦＤＭトーン−シンボルは、セグメント２及びセグメント６の両方にマッピングする。エアリンク資源領域１７１３に対応する６つのＯＦＤＭトーン−シンボルは、セグメント３及びセグメント７の両方にマッピングする。エアリンク資源領域１７１７に対応する６つのＯＦＤＭトーン−シンボルは、セグメント４及びセグメント８の両方にマッピングする。基地局は、実質的に直交であるチャネル推定ベクトルを有する候補無線端末対の有無を試験し、割り当てを有する一対のセグメント内の両方のセグメントを相互相関係数判定基準を満たす一対の無線端末にポピュレートすることが許容される。そうでない場合は、基地局は対のセグメントのうちの１つを用いるべき多くても１つの無線端末を割り当てる。さらに、基地局は、幾つかの実施形態においては、例えばエアリンク資源に関する全体的要求が低いことに応じて、相互相関係数判定基準を満たす対の無線端末を重なり合わないセグメントに割り当てるように決定する柔軟性を有する。
【０１１１】
図１８は、様々な実施形態による典型的な実質的に重なり合うセグメントを示す図１８０２である。この例においては、利用可能なセグメントの各々は、他のセグメントと完全に重なり合う。図１８００は、周波数（ＯＦＤＭトーンインデックス）を縦軸１８０３、時間（ＯＦＤＭシンボル送信時間間隔）を横軸１８０５に作図する。エアリンク資源領域１８０７に対応する６つのＯＦＤＭトーン−シンボルは、セグメント１及びセグメント５の両方にマッピングする。この典型的実施形態においては、セグメントのトーン−シンボルは非連続であることが可能であり、時々非連続であることを観察できる。同様に、６つのＯＦＤＭトーン−シンボルは、セグメント２及びセグメント６の両方にマッピングし、６つのＯＦＤＭトーン−シンボルは、セグメント３及びセグメント７の両方にマッピングし、６つのＯＦＤＭトーン−シンボルは、セグメント４及びセグメント８の両方にマッピングする。セグメント内におけるこのタイプのトーン−シンボル割り当ては、幾つかの実施形態においては、ダウンリンクチャネルセグメントに関して用いられ、論理チャネルから物理チャネルへのトーンホッピングは、１つのＯＦＤＭシンボル送信時間間隔ごとに実装される。
【０１１２】
図１９は、様々な実施形態による典型的な実質的に重なり合うセグメントを示す図１９０２である。この例においては、利用可能なセグメントの各々は、他のセグメントと完全に重なり合う。図１９００は、周波数（ＯＦＤＭトーンインデックス）を縦軸１９０３、時間（ＯＦＤＭシンボル送信時間間隔）を横軸１９０５に作図する。エアリンク資源領域１９０７に対応する６つのＯＦＤＭトーン−シンボルは、セグメント１及びセグメント５の両方にマッピングする。この典型的実施形態においては、セグメントのトーン−シンボルは非連続であることが可能であり、時々非連続であること、及び該セグメント内においては一組のトーンがドウェルの継続時間の間維持されることを観察できる。
【０１１３】
この例においては、ドウェルの継続時間は、セグメントの継続時間と同じである。幾つかの実施形態においては、セグメントの継続時間は、ドウェルの継続時間の倍数である。同様に、６つのＯＦＤＭトーン−シンボルは、セグメント２及びセグメント６の両方にマッピングし、６つのＯＦＤＭトーン−シンボルは、セグメント３及びセグメント７の両方にマッピングし、６つのＯＦＤＭトーン−シンボルは、セグメント４及びセグメント８の両方にマッピングする。セグメント内におけるこのタイプのトーン−シンボル割り当ては、幾つかの実施形態においては、アップリンクチャネルセグメントに関して用いられ、論理チャネルから物理チャネルへのトーンホッピングは、１つのドウェルごとに実装され、ドウェル継続時間は、予め決められた連続するＯＦＤＭシンボル送信時間間隔数である。
【０１１４】
少なくとも幾つかのアップリンクセグメントが重なり合う様々な実施形態においては、重なり合いは、アップリンクセグメントに関するユーザが、他のアップリンクセグメントに関する多くても１つのその他のユーザとしか重なり合わないように構造化される。この場合は、アップリンクスケジューラは、その他のスケジューラユーザ／レート選択上の考慮事項に加えてＳＮＲ範囲問題に関する次の規則に従ってユーザ及びレートを選択する。すなわち、（１）選択されたユーザ間の空間相関関係は相対的に小さい、（２）（レート選択における）動作ＳＮＲ間の差は相対的に小さい。幾つかの該実施形態においては、システム上でのレートに関する一定の効用関数が最大化されるようなユーザ及びレートが選択される。
【０１１５】
これらの２つの制約間では妥協が存在する、すなわち、必ずしも空間相関関係とＳＮＲ差の両方を極端に小さくする必要がないことに注目すること。１つの極端な例においては、空間相関関係がゼロであるときには、ＳＮＲ差に関しては制約がない。実装を容易にすることを目的として、両方の制約に留意する発見的乗法定理を用いることができる。すなわち、アップリンクにおいて、潜在的候補ユーザの潜在的レートを計算時には、（受信ＳＮＲに直接関連する）レート差δＲに対して以下のような制約を設ける。
【０１１６】
f(δＲ）＊ｇ（Ｃｓ）＜Ｔｐ
ここで、δＲは、レート差であり、Ｃｓは、２つのユーザ間の空間相関関係であり、f(・）及びｇ（・）は、幾つかの一般的な予め定義された関数である。Ｔｐは、予め定義されたシステム定数である。
【０１１７】
図２０は、様々な実施形態による複数の無線端末とともに用いるための複数のアンテナ素子を含む基地局を動作させる典型的方法のフローチャート２０００である。動作はステップ２００２において開始し、ステップ２００２において基地局に電源が投入されて初期化され、ステップ２００４に進む。
【０１１８】
ステップ２００４において、基地局は、複数の無線端末に対応するチャネル推定を生成し、該生成されたチャネル推定は、第１及び第２の無線端末からそれぞれ受信された信号からの第１及び第２のチャネル推定を含む。ステップ２００４は、サブステップ２００６と２００８とを含む。サブステップ２００６において、基地局は、該第１及び第２の無線端末を含む該複数の無線端末から受信された信号を測定する。次に、サブステップ２００８において、基地局は、該第１及び第２の無線端末を含む複数の無線端末に対応するチャネル推定ベクトルを生成する。動作は、ステップ２００４からステップ２０１０に進む。
【０１１９】
ステップ２０１０において、基地局は、第１及び第２の無線端末を、該第１及び第２の無線端末に対応する第１及び第２のチャネル推定ベクトルに基づいて、該複数の無線端末から選択し、該第１及び第２のチャネル推定ベクトルの各々は、該複数のアンテナ素子のうちの異なるアンテナ素子に対応するチャネル情報を含む。ステップ２０１０は、サブステップ２０１２を含む。サブステップ２０１２において、基地局は、該第１及び第２の無線端末の該選択を、ｉ）第１の無線端末と基地局との間及び第２の無線端末と基地局との間の通信チャネル間における推定される空間相関関係、及びｉｉ）第１及び第２の無線端末からの信号にそれぞれ対応する信号対雑音比間の推定差の両方の関数として行う。様々な実施形態においては、ステップ２０１２の選択は、予め決められた制約を満たすために該複数の無線端末から第１及び第２の無線端末を選択する。幾つかの該実施形態においては、制約は、推定された空間相関関係と信号対雑音比間の推定差の異なる組み合わせによって満たすことができる関数出力限度である。
【０１２０】
動作は、ステップ２０１０からステップ２１０４に進む。ステップ２１０１４において、基地局は、選択された第１及び第２の無線端末に割り当て情報を送信し、選択された第１及び第２の無線端末に第１及び第２のセグメントがそれぞれ割り当てられ、該第１及び第２のセグメントは、少なくとも実質的に重なり合う通信資源を含む。
【０１２１】
図２１は、様々な実施形態による典型的基地局２１００の図である。典型的基地局２１００は、図２０のフローチャート２０００の方法を実装することができる。典型的基地局２１００は、様々な要素がデータ及び情報を交換することができるバス２１１０を介してひとつに結合された受信機モジュール２１０２と、チャネル推定モジュール２１０４と、選択モジュール２１０６と、送信モジュール２１０８と、を含む。受信機モジュール２１０２、例えばＯＦＤＭ受信機、は、受信アンテナ素子（受信アンテナ素子１  ２１０１、受信アンテナ素子２  ２１０３、．．．受信アンテナ素子ｋ  ２１０５）を介して複数の無線端末からアップリンク信号を受信する。
【０１２２】
チャネル推定モジュール２１０４は、複数の無線端末に対応するチャネル推定を生成し、該生成されたチャネル推定は、第１及び第２の無線端末からそれぞれ受信された信号からの第１及び第２のチャネル推定を含む。チャネル推定モジュール２１０４は、信号測定モジュール２１１２と、チャネル推定ベクトルモジュール２１１４と、を含む。信号測定モジュール２１１２は、該第１及び第２の無線端末から受信された信号を含む該複数の無線端末から受信された信号を測定する。チャネル推定モジュール２１１４は、該第１及び第２の無線端末を含む複数の無線端末に対応するチャネル推定ベクトルを生成する。
【０１２３】
選択モジュール２１０６は、第１及び第２の無線端末を、該第１及び第２の無線端末にそれぞれ対応する第１及び第２のチャネル推定ベクトルに基づいて、該複数の無線端末から選択し、該第１及び第２のチャネル推定ベクトルの各々は、該複数のアンテナ素子のうちの異なるアンテナ素子に対応するチャネル推定情報を含む。選択モジュール２１０６は、選択関数（ｓｅｌｅｃｔｉｏｎ  ｆｕｎｃｔｉｏｎ）モジュール２１１６と、予め決められた制約情報２１１８と、を含む。選択関数モジュール２１１６は、該第１及び第２の無線端末の該選択を、ｉ）第１の無線端末と基地局との間及び第２の無線端末と基地局との間の通信チャネル間における推定される空間相関関係、及びｉｉ）第１及び第２の無線端末からの信号にそれぞれ対応する信号対雑音比間の推定差の両方の関数として行う。予め決められた制約情報２１１８は、例えば、選択モジュール２１０６が第１及び第２の無線端末を該複数の無線端末から選択するときに満たされる制約である。予め決められた制約情報２１１８は、例えば、推定された空間相関関係と信号対雑音比間の推定差の異なる組み合わせによって満たすことができる関数出力限度である。
【０１２４】
送信モジュール２１０８は、送信アンテナ２１０７に結合され、基地局は、送信アンテナ２１０７を介して無線端末にダウンリンク信号を送信する。送信モジュール２１０８は、第１及び第２のセグメントが割り当てられている選択された第１及び第２の無線端末に割り当て情報を送信し、該第１及び第２のセグメントは、少なくとも実質的に重なり合う通信資源を含む。
【０１２５】
様々な実施形態の方法及び装置は、ＯＦＤＭシステムに関して説明される一方で、数多くのＯＦＤＭ以外の及び／又は非セルラー方式のシステムを含む広範な通信に対して適用可能である。
【０１２６】
様々な実施形態において、ここにおいて説明されるノードは、１つ以上の方法に対応するステップ、例えば、チャネル推定ベクトルの生成、相互相関係数の生成、実質的に重なり合うセグメントに関する無線端末の選択、割り当て信号の生成、電力レベルの制御、ＳＮＲレベルの制御、等を実行するために１つ以上のモジュールを用いて実装される。幾つかの実施形態においては、様々な特徴は、モジュールを用いて実装される。該モジュールは、ソフトウェア、ハードウェア又はソフトウェアとハードウェアの組み合わせを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピー（登録商標）ディスク等の機械によって読み取り可能な媒体、に含まれている機械によって実行可能な命令、例えばソフトウェア、を用いて実装することができる。従って、とりわけ、様々な実施形態は、機械、例えばプロセッサ及び関連するハードウェア、に上述される方法のステップのうちの１つ以上を実行させるための機械によって実行可能な命令を含む機械によって読み取り可能な媒体を対象とする。
【０１２７】
上記の説明に鑑みて、上述される方法及び装置に関する数多くの追加の変形が当業者にとって明確になるであろう。該変形は、適用範囲内にあるとみなされるべきである。様々な実施形態の方法及び装置は、ＣＤＭＡ、直交周波数分割多重化（ＯＦＤＭ）、及び／又はアクセスノードとモバイルノードとの間において無線通信リンクを提供するために用いることができる様々なその他の種類の通信技法とともに用いることができ、様々な実施形態において用いられる。幾つかの実施形態においては、アクセスノードは、ＯＦＤＭ及び／又はＣＤＭＡを用いるモバイルノードとの通信リンクを確立する基地局として実装される。様々な実施形態においては、モバイルノードは、様々な実施形態の方法を実装するための受信機／送信機回路及び論理及び／又はルーチンを含むノート型コンピュータ、パーソナルデータアシスタント（ＰＤＡ）、又はその他のポータブルデバイスとして実装される。  
以下に、本願出願の当初の特許請求の範囲に記載された発明を付記する。  
［Ｃ１］
複数の無線端末とともに用いるための複数のアンテナ素子を含む基地局を動作させる方法であって、
第１及び第２の無線端末を、前記第１及び第２の無線端末にそれぞれ対応する第１及び第２のチャネル推定ベクトルに基づいて、前記複数の無線端末から選択することであって、前記第１及び第２のチャネル推定ベクトルの各々は、前記複数のアンテナ素子のうちの異なるアンテナ素子に対応するチャネル情報を含むことと、
前記選択された第１及び第２の無線端末に割り当て情報を送信することであって、前記選択された第１及び第２の無線端末は第１及び第２のセグメントがそれぞれ割り当てられ、前記第１及び第２のセグメントは、少なくとも実質的に重なり合う通信資源を含むこと、とを備える、方法。
［Ｃ２］
前記第１及び第２のセグメントは、時間−周波数資源単位の組であるＣ１に記載の方法。
［Ｃ３］
前記第１及び第２のセグメントは、アップリンクトラフィックチャネルセグメントであり、時間周波数資源単位は、ＯＦＤＭトーン−シンボルであるＣ２に記載の方法。
［Ｃ４］
前記第１及び第２のセグメントは、ダウンリンクトラフィックチャネルセグメントであり、時間周波数資源単位は、ＯＦＤＭトーン−シンボルであるＣ２に記載の方法。
［Ｃ５］
前記第１及び第２のセグメントのうちの１方に含まれる前記時間−周波数資源単位の少なくとも５０％は、前記第１及び第２のセグメントのうちの他方に含まれるＣ２に記載の方法。
［Ｃ６］
前記第１及び第２のセグメントのうちの１方に含まれる前記時間−周波数資源単位の少なくとも１００％は、前記第１及び第２のセグメントのうちの他方に含まれるＣ２に記載の方法。
［Ｃ７］
前記第１及び第２のセグメントは、同じ数の時間−周波数資源単位を含むＣ６に記載の方法。
［Ｃ８］
前記選択を行う前に、前記第１及び第２の無線端末からそれぞれ受信された信号から前記第１及び第２のチャネル推定を生成することをさらに備えるＣ１に記載の方法。
［Ｃ９］
前記チャネル推定は、前記第１及び第２の無線端末から受信された信号を測定することによって生成されるＣ８に記載の方法。
［Ｃ１０］
前記チャネル推定は、前記第１及び第２の無線端末によって送信されたチャネル情報を通信する受信された情報から生成されるＣ８に記載の方法。
［Ｃ１１］
前記第１及び第２の無線端末を選択することは、
実質的に直交であるチャネル推定ベクトルを有する無線端末を選択することを含むＣ１に記載の方法。
［Ｃ１２］
前記実質的に直交であるチャネル推定ベクトルは、０．２よりも小さい大きさを有する相互相関係数を有するＣ１１に記載の方法。
［Ｃ１３］
前記割り当てられた第１及び第２のセグメントにおいて前記第１及び第２の無線端末から信号を受信することと、
前記第１及び第２の無線端末のうちの少なくとも１つに対応するチャネル推定ベクトルを用いて前記第１及び第２の無線端末のうちの前記少なくとも１つに対応する前記受信された信号を復号すること、とをさらに備えるＣ９に記載の方法。
［Ｃ１４］
前記第１及び第２の無線端末からの信号が前記基地局においてほぼ等しい平均時間−周波数単位当たり電力で受信されるように出力電力を制御するために前記第１及び第２の無線端末にシグナリングすることをさらに備えるＣ１３に記載の方法。
［Ｃ１５］
前記第１及び第２の無線端末からの前記信号は、互いに３ｄＢ以内の受信電力レベルで受信されるＣ１４に記載の方法。
［Ｃ１６］
前記第１及び第２の無線端末からの信号がほぼ等しい平均信号対雑音比で受信されるように出力電力を制御するために前記第１及び第２の無線端末にシグナリングすることをさらに備えるＣ１３に記載の方法。
［Ｃ１７］
前記ほぼ等しい平均信号対雑音比は、互いに３ｄＢ以内であるＣ１６に記載の方法。
［Ｃ１８］
前記第１及び第２の無線端末からの信号が基地局においてほぼ等しい平均信号対雑音比で受信されるように出力データレートを制御するために前記第１及び第２の無線端末にシグナリングすることをさらに備えるＣ１３に記載の方法。
［Ｃ１９］
前記ほぼ等しい平均信号対雑音比は、互いに３ｄＢ以内であるＣ１８に記載の方法。
［Ｃ２０］
第３の無線端末に第３のセグメントを割り当てることであって、前記第３のセグメントは、周波数の点で前記第１及び第２のセグメントと完全に又は実質的に重なり合わず、時間の点で少なくとも部分的に重なり合うことと、
前記受信された電力レベルが前記第１及び第２の無線端末から受信された信号の電力レベルと実質的に異なるように前記第３の無線端末の送信電力レベルを制御するための信号を前記第３の無線端末に送信すること、とをさらに備えるＣ１に記載の方法。
［Ｃ２１］
前記受信された電力レベル差は、少なくとも５ｄＢであるＣ２０に記載の方法。
［Ｃ２２］
前記第１及び第２の無線端末にそれぞれ対応する送信されるべき第１及び第２の信号に対して第１及び第２の変換をそれぞれ行うことであって、前記第１及び第２の変換の各々は、前記第１及び第２のチャネル推定のうちの少なくとも１つから生成されることと、
前記割り当てられた第１及び第２のセグメントにおいて前記第１及び第２の無線端末に符号化された第１及び第２の信号を送信すること、とをさらに備えるＣ１０に記載の方法。
［Ｃ２３］
前記符号化された信号がほぼ等しい平均時間−周波数単位当たり電力で送信されるように前記第１及び第２の符号化された信号の送信電力を制御することをさらに備えるＣ２２に記載の方法。
［Ｃ２４］
前記第１及び第２の無線端末への前記信号は、互いに３ｄＢ内の送信電力レベルで送信されるＣ２３に記載の方法。
［Ｃ２５］
第３の無線端末に第３のセグメントを割り当てることであって、前記第３のセグメントは、周波数の点で前記第１及び第２のセグメントと完全に又は実質的に重なり合わず、時間の点で少なくとも部分的に重なり合うことと、
前記第１及び第２の無線端末に送信された信号の電力レベルと実質的に異なる送信電力レベルを用いて前記第３の無線端末に信号を送信すること、とをさらに備えるＣ１に記載の方法。
［Ｃ２６］
前記送信された電力レベル差は、少なくとも５ｄＢであるＣ２５に記載の方法。
［Ｃ２７］
第１及び第２の無線端末を前記選択することは、下記の両方の関数として行われるＣ１に記載の方法、
ｉ）第１の端末と基地局との間及び第２の無線端末と基地局との間の通信チャネル間における推定された空間相関関係、及び
ｉｉ）第１及び第２の無線端末からの信号にそれぞれ対応する信号対雑音比間の推定された差。
［Ｃ２８］
前記選択は、予め決められた制約を満たすために前記第１及び第２の無線端末を前記複数の無線端末から選択するＣ２７に記載の方法。
［Ｃ２９］
前記制約は、推定された空間相関関係と信号対雑音比間の推定された差の異なる組み合わせによって満たすことが可能な関数出力限度であるＣ２８に記載の方法。
［Ｃ３０］
複数の無線端末とともに用いるための基地局であって、
無線端末と通信するための複数のアンテナ素子と、
第１及び第２の無線端末を、前記第１及び第２の無線端末に対応する第１及び第２のチャネル推定ベクトルに基づいて、前記複数の無線端末から選択するための選択モジュールであって、前記第１及び第２のチャネル推定ベクトルの各々は、前記複数のアンテナ素子のうちの異なるアンテナ素子に対応するチャネル情報を含む選択モジュールと、
前記選択された第１及び第２の無線端末に割り当て情報を送信するための送信モジュールであって、前記選択された第１及び第２の無線端末は、第１及び第２のセグメントがそれぞれ割り当てられ、前記第１及び第２のセグメントは、少なくとも実質的に重なり合う通信資源を含む送信モジュールと、を備える、基地局。
［Ｃ３１］
前記第１及び第２のセグメントは、時間−周波数資源単位の組であるＣ３０に記載の基地局。
［Ｃ３２］
前記第１及び第２のセグメントは、アップリンクトラフィックチャネルセグメントであり、時間周波数資源単位は、ＯＦＤＭトーン−シンボルであり、
複数のセグメントのうちのいずれのセグメントが互いに実質的に重なり合うか示す格納された情報であって、前記複数のセグメントは前記第１及び第２のセグメントを含む格納された情報をさらに備えるＣ３１に記載の基地局。
［Ｃ３３］
前記第１及び第２のセグメントは、ダウンリンクトラフィックチャネルセグメントであり、時間周波数資源単位は、ＯＦＤＭトーン−シンボルであり、
複数のセグメントのうちのいずれのセグメントが互いに実質的に重なり合うかを示す格納された情報であって、前記複数のセグメントは前記第１及び第２のセグメントを含む格納された情報をさらに備えるＣ３１に記載の基地局。
［Ｃ３４］
前記第１及び第２のセグメントのうちの１方に含まれる前記時間−周波数資源単位の少なくとも５０％は、前記第１及び第２のセグメントのうちの他方に含まれるＣ３１に記載の基地局。
［Ｃ３５］
前記第１及び第２のセグメントのうちの１方に含まれる前記時間−周波数資源単位の少なくとも１００％は、前記第１及び第２のセグメントのうちの他方に含まれるＣ３１に記載の基地局。
［Ｃ３６］
前記第１及び第２のセグメントは、同じ数の時間−周波数資源単位を含むＣ３５に記載の基地局。
［Ｃ３７］
前記第１及び第２の無線端末からそれぞれ受信された信号から前記第１及び第２のチャネル推定を生成するためのチャネル推定生成モジュールをさらに備えるＣ３０に記載の基地局。
［Ｃ３８］
前記チャネル推定生成モジュールは、前記第１及び第２の無線端末から受信された信号を測定するための測定モジュールを含むＣ３７に記載の基地局。
［Ｃ３９］
前記チャネル推定生成モジュールは、前記第１及び第２の無線端末によって送信されたチャネル情報を通信する情報を受信するためのチャネル情報復元モジュールを含むＣ３７に記載の基地局。
［Ｃ４０］
前記選択モジュールは、前記第１及び第２の無線端末をチャネル推定ベクトル直交性情報の関数として選択し、前記第１及び第２の無線端末は、実質的に直交であるチャネル推定ベクトルを有するＣ３０に記載の基地局。
［Ｃ４１］
前記選択モジュールは、
一対のチャネル推定ベクトル間における直交度を決定するための相関モジュールを含むＣ４０に記載の基地局。
［Ｃ４２］
前記選択モジュールは、最低限の直交性に関する要求を満たすチャネル推定ベクトルの対を識別するための直交性に基づくスクリーニングモジュールをさらに含むＣ４１に記載の基地局。
［Ｃ４３］
前記実質的に直交であるチャネル推定ベクトルは、０．２よりも小さい大きさを有する相互相関係数を有するＣ４０に記載の基地局。
［Ｃ４４］
前記割り当てられた第１及び第２のセグメントにおいて前記第１及び第２の無線端末から信号を受信するための受信機と、
前記第１及び第２の無線端末のうちの少なくとも１つに対応するチャネル推定ベクトルを用いて前記第１及び第２の無線端末のうちの前記少なくとも１つに対応する前記受信された信号を復号するための復号器と、をさらに備えるＣ３８に記載の基地局。
［Ｃ４５］
第１及び第２のセグメントに対応する、前記第１及び第２の無線端末からの信号が前記基地局においてほぼ等しい平均時間−周波数単位当たり電力で受信されるように出力電力を制御するために前記第１及び第２の無線端末にシグナリングするための無線端末電力制御モジュールをさらに備えるＣ４４に記載の基地局。
［Ｃ４６］
前記第１及び第２の無線端末からの前記信号は、互いに３ｄＢ以内の受信電力レベルで受信されるＣ４５に記載の基地局。
［Ｃ４７］
第１及び第２のセグメントにそれぞれ対応する、前記第１及び第２の無線端末からの信号がほぼ等しい平均信号対雑音比を有する状態で前記基地局において受信されるように出力電力を制御するために前記第１及び第２の無線端末にシグナリングするための無線端末電力制御モジュールをさらに備えるＣ４４に記載の基地局。
［Ｃ４８］
前記ほぼ等しい平均信号対雑音比は、互いに３ｄＢ以内であるＣ４７に記載の基地局。
［Ｃ４９］
前記第１及び第２の無線端末からの信号がほぼ等しい平均信号対雑音比を有する状態で前記基地局において受信されるように、第１及び第２のセグメントにそれぞれ対応する、出力データレートを制御するために前記第１及び第２の無線端末にシグナリングするための無線端末制御モジュールをさらに備えるＣ４４に記載の基地局。
［Ｃ５０］
前記ほぼ等しい平均信号対雑音比は、互いに３ｄＢ以内であるＣ４９に記載の基地局。
［Ｃ５１］
第３の無線端末に第３のセグメントを割り当てるための割り当て信号を生成するための割り当てシグナリングモジュールであって、前記第３のセグメントは、周波数の点で前記第１及び第２のセグメントと完全に又は実質的に重なり合わず、時間の点で少なくとも部分的に重なり合う割り当てシグナリングモジュールをさらに備え、
前記送信モジュールは、前記受信された電力レベルが前記第１及び第２の無線端末から受信された信号の電力レベルと実質的に異なるように前記第３の無線端末の送信電力レベルを制御するための信号を前記第３の無線端末に送信するＣ３０に記載の基地局。
［Ｃ５２］
前記受信された電力レベル差は、少なくとも５ｄＢであるＣ５１に記載の基地局。
［Ｃ５３］
前記第１及び第２の無線端末にそれぞれ対応する送信されるべき第１及び第２の信号に対して第１及び第２の変換をそれぞれ行うための変換モジュールであって、前記第１及び第２の変換の各々は、前記第１及び第２のチャネル推定のうちの少なくとも１つから生成される変換モジュールをさらに備え、
前記送信モジュールは、前記割り当てられた第１及び第２のセグメントにおいて前記第１及び第２の無線端末に符号化された第１及び第２の信号を送信するＣ３９に記載の基地局。
［Ｃ５４］
前記符号化された信号がほぼ等しい平均時間−周波数単位当たり電力で送信されるように前記第１及び第２の符号化された信号の送信電力を制御するための電力制御モジュールをさらに備えるＣ５３に記載の基地局。
［Ｃ５５］
前記第１及び第２の無線端末への前記信号は、互いに３ｄＢ以内の送信電力レベルで送信されるＣ５４に記載の基地局。
［Ｃ５６］
第３の無線端末に第３のセグメントを割り当てる割り当て信号を生成するための割り当てシグナリングモジュールであって、前記第３のセグメントは、周波数の点で前記第１及び第２のセグメントと完全に又は実質的に重なり合わず、時間の点で少なくとも部分的に重なり合う割り当てシグナリングモジュール、をさらに備え、
前記送信モジュールは、前記第１及び第２の無線端末に送信された信号の電力レベルと実質的に異なる送信電力レベルを用いて前記第３の無線端末に信号を送信するＣ３０に記載の基地局。
［Ｃ５７］
前記送信された電力レベル差は、少なくとも５ｄＢであるＣ５６に記載の基地局。
［Ｃ５８］
複数の無線端末とともに用いるための基地局であって、
無線端末と通信するための複数の電磁波放射手段及び複数の電磁波受信手段のうちの少なくとも１つと、
第１及び第２の無線端末を、前記第１及び第２の無線端末に対応する第１及び第２のチャネル推定ベクトルに基づいて、前記複数の無線端末から選択するための選択手段であって、前記第１及び第２のチャネル推定ベクトルの各々は、複数のアンテナ素子のうちの異なるアンテナ素子に対応するチャネル情報を含む選択手段と、
前記選択された第１及び第２の無線端末に割り当て情報を送信するための送信手段であって、前記選択された第１及び第２の無線端末は、第１及び第２のセグメントがそれぞれ割り当てられ、前記第１及び第２のセグメントは、少なくとも実質的に重なり合う通信資源を含む送信手段と、を備える、基地局。
［Ｃ５９］
前記第１及び第２のセグメントは、時間−周波数資源単位の組であるＣ５８に記載の基地局。
［Ｃ６０］
前記第１及び第２のセグメントのうちの１方に含まれる前記時間−周波数資源単位の少なくとも５０％は、前記第１及び第２のセグメントのうちの他方に含まれるＣ５９に記載の基地局。
［Ｃ６１］
前記第１及び第２のセグメントのうちの１方に含まれる前記時間−周波数資源単位の少なくとも１００％は、前記第１及び第２のセグメントのうちの他方に含まれるＣ５９に記載の基地局。
［Ｃ６２］
前記第１及び第２の無線端末からそれぞれ受信された信号から前記第１及び第２のチャネル推定ベクトルを生成するためのチャネル推定を生成するための手段をさらに備えるＣ５８に記載の基地局。
［Ｃ６３］
チャネル推定を生成するための前記手段は、前記第１及び第２の無線端末から受信された信号を測定するための手段を含むＣ６２に記載の基地局。
［Ｃ６４］
チャネル推定を生成するための前記手段は、前記第１及び第２の無線端末によって送信されたチャネル情報を通信する情報を受信するための情報を復元するための手段を含むＣ６３に記載の基地局。    
［Ｃ６５］
前記選択モジュールは、
一対のチャネル推定ベクトル間における直交度を決定するための手段を含むＣ５８に記載の基地局。
［Ｃ６６］
方法を実装するために通信デバイスを制御するための機械によって実行可能な命令を具現化したコンピュータによって読み取り可能な媒体であって、前記方法は、
第１及び第２の無線端末を、前記第１及び第２の無線端末にそれぞれ対応する第１及び第２のチャネル推定ベクトルに基づいて、複数の無線端末から選択することであって、前記第１及び第２のチャネル推定ベクトルの各々は、複数のアンテナ素子のうちの異なるアンテナ素子に対応するチャネル情報を含むことと、
前記選択された第１及び第２の無線端末に割り当て情報を送信することであって、前記選択された第１及び第２の無線端末は第１及び第２のセグメントがそれぞれ割り当てられ、前記第１及び第２のセグメントは、少なくとも実質的に重なり合う通信資源を含むこと、とを備える、コンピュータによって読み取り可能な媒体。
［Ｃ６７］
前記第１及び第２のセグメントは、時間−周波数資源単位の組であるＣ６６に記載のコンピュータによって読み取り可能な媒体。
［Ｃ６８］
前記第１及び第２のセグメントのうちの１方に含まれる前記時間−周波数資源単位の少なくとも５０％は、前記第１及び第２のセグメントのうちの他方に含まれるＣ６７に記載のコンピュータによって読み取り可能な媒体。
［Ｃ６９］
前記第１及び第２のセグメントのうちの１方に含まれる前記時間−周波数資源単位の少なくとも１００％は、前記第１及び第２のセグメントのうちの他方に含まれるＣ６７に記載のコンピュータによって読み取り可能な媒体。
［Ｃ７０］
前記第１及び第２のセグメントは、同じ数の時間−周波数資源単位を含むＣ６９に記載のコンピュータによって読み取り可能な媒体。
［Ｃ７１］
前記選択を行う前に、前記第１及び第２の無線端末からそれぞれ受信された信号から前記第１及び第２のチャネル推定を生成するための機械によって実行可能な命令をさらに具現化したＣ６６に記載のコンピュータによって読み取り可能な媒体。
［Ｃ７２］
装置であって、
第１及び第２の無線端末を、前記第１及び第２の無線端末に対応する第１及び第２のチャネル推定ベクトルに基づいて、複数の無線端末から選択し、及び
前記選択された第１及び第２の無線端末に割り当て情報を送信するように構成されたプロセッサであって、
前記第１及び第２のチャネル推定ベクトルの各々は、複数のアンテナ素子のうちの異なるアンテナ素子に対応するチャネル情報を含み、前記選択された第１及び第２の無線端末は、第１及び第２のセグメントがそれぞれ割り当てられ、前記第１及び第２のセグメントは、少なくとも実質的に重なり合う通信資源を含むプロセッサ、を含む、装置。
［Ｃ７３］
前記第１及び第２のセグメントは、時間−周波数資源単位の組であるＣ７２に記載の装置。
［Ｃ７４］
前記第１及び第２のセグメントのうちの１方に含まれる前記時間−周波数資源単位の少なくとも５０％は、前記第１及び第２のセグメントのうちの他方に含まれるＣ７３に記載の装置。
［Ｃ７５］
前記第１及び第２のセグメントのうちの１方に含まれる前記時間−周波数資源単位の少なくとも１００％は、前記第１及び第２のセグメントのうちの他方に含まれるＣ７３に記載の装置。
［Ｃ７６］
前記第１及び第２のセグメントは、同じ数の時間−周波数資源単位を含むＣ７５に記載の装置。
［Ｃ７７］
前記プロセッサは、前記選択を行う前に、前記第１及び第２の無線端末からそれぞれ受信された信号から前記第１及び第２のチャネル推定ベクトルを生成するようにさらに構成されるＣ７２に記載の装置。
【図１】
0005389808.tif 000004
【図２】
0005389808.tif 000005
【図３】
0005389808.tif 000006
【図４】
0005389808.tif 000007
【図５】
0005389808.tif 000008
【図６】
0005389808.tif 000009
【図７】
0005389808.tif 000010
【図８】
0005389808.tif 000011
【図９】
0005389808.tif 000012
【図１０】
0005389808.tif 000013
【図１１】
0005389808.tif 000014
【図１２】
0005389808.tif 000015
【図１３】
0005389808.tif 000016
【図１４】
0005389808.tif 000017
【図１５】
0005389808.tif 000018
【図１６】
0005389808.tif 000019
【図１６Ａ】
0005389808.tif 000020
【図１６Ｂ】
0005389808.tif 000021
【図１６Ｃ】
0005389808.tif 000022
【図１６Ｄ】
0005389808.tif 000023
【図１７】
0005389808.tif 000024
【図１８】
0005389808.tif 000025
【図１９】
0005389808.tif 000026
【図２０】
0005389808.tif 000027
【図２１】
0005389808.tif 000028